(57)【要約】  基地局装置と通信を行うユーザ装置に、基地局装置により送信された下りリンクの信号に基づいて測定された下りリンクの品質情報に基づいて、下りリンクの同期状態を判定する判定手段を備えることにより達成される。
2009022668.tif 000002
【特許請求の範囲】
【請求項１】
基地局装置と通信を行うユーザ装置であって：
前記基地局装置により送信された下りリンクの信号に基づいて測定された下りリンクの品質情報に基づいて、下りリンクの同期状態を判定する判定手段；
を備えることを特徴とするユーザ装置。
【請求項２】
請求項１に記載のユーザ装置において：
前記判定手段は、前記下りリンクの品質情報が圏外である場合に下りリンクの同期が確立されていないと判定し、前記下りリンクの品質情報が圏外でない場合に下りリンクの同期が確立されていると判定することを特徴とするユーザ装置。
【請求項３】
請求項２に記載のユーザ装置において：
前記判定手段は、前記下りリンクの品質情報が圏外である状態が所定の時間継続した場合に下りリンクの同期が確立されていないと判定し、前記下りリンクの品質情報が圏外でない状態が所定の時間継続した場合に下りリンクの同期が確立されていると判定することを特徴とするユーザ装置。
【請求項４】
請求項１に記載のユーザ装置において：
前記判定手段は、前記基地局装置が下りリンクにおいて送信するリファレンス信号の無線品質が所定の閾値未満である場合に下りリンクの同期が確立されていないと判定し、前記リファレンス信号の無線品質が所定の閾値以上である場合に下りリンクの同期が確立されていると判定することを特徴とするユーザ装置。
【請求項５】
請求項４に記載のユーザ装置において：
前記判定手段は、前記リファレンス信号の無線品質が所定の閾値未満である状態が所定の時間だけ継続した場合に、下りリンクの同期が確立されていないと判定し、前記リファレンス信号の無線品質が所定の閾値以上である状態が所定の時間だけ継続した場合に、下りリンクの同期が確立されていると判定することを特徴とするユーザ装置。
【請求項６】
請求項４に記載のユーザ装置において：
前記無線品質とは、受信電力及び／又はＳＩＲ及び／またはＣｈａｎｎｅｌ  Ｑｕａｌｉｔｙ  Ｉｎｄｉｃａｔｏｒ（ＣＱＩ）であることを特徴とするユーザ装置。
【請求項７】
請求項１に記載のユーザ装置において：
前記判定手段において、下りリンクの同期が確立されていないと判定された場合に、上りリンクの信号の送信を停止する上りリンク送信停止手段；
を備えることを特徴とするユーザ装置。
【請求項８】
請求項１に記載のユーザ装置において：
前記判定手段において、下りリンクの同期が確立されていないと判定された場合に、下りリンクの同期が確立されていないという情報を上位レイヤに通知する通知手段；
を備えることを特徴とするユーザ装置。
【請求項９】
請求項７に記載のユーザ装置において：
前記上りリンクの信号は、サウンディング用のリファレンス信号、上りリンクの共有チャネル、上りリンクの制御チャネル、下りリンクの品質情報及び下りリンクの共有チャネルの送達確認情報の少なくとも１つであることを特徴とするユーザ装置。
【請求項１０】
請求項７に記載のユーザ装置において：
前記上りリンク送信停止手段は、ランダムアクセスチャネル以外の全ての上りリンクの信号の送信を停止することを特徴とするユーザ装置。
【請求項１１】
請求項４に記載のユーザ装置において：
前記基地局装置より送信される、下りリンク同期状態を判定するための閾値を受信する受信手段；
前記判定手段は、前記基地局装置より送信された閾値に基づいて、下りリンクの同期が確立されているか否かを判定する判定手段；
を備えること特徴とするユーザ装置。
【請求項１２】
請求項１１に記載のユーザ装置であって、
前記受信手段は、無線リソース制御（RRC）  メッセージ又は報知情報にマッピングされた閾値を受信することを特徴とするユーザ装置。
【請求項１３】
請求項５に記載のユーザ装置において：
前記基地局装置より送信される、下りリンク同期状態を判定するための時間間隔を受信する受信手段；
を有し、
前記判定手段は、前記リファレンス信号の無線品質が所定の閾値未満である状態が前記時間間隔だけ継続した場合に、下りリンクの同期が確立されていないと判定し、前記リファレンス信号の無線品質が所定の閾値以上である状態が前記時間間隔だけ継続した場合に、下りリンクの同期が確立されていると判定することを特徴とするユーザ装置。
【請求項１４】
請求項１に記載のユーザ装置であって：
前記判定手段は、
Ｉｄｌｅ状態、
ＲＲＣ  ｃｏｎｎｅｃｔｅｄ状態、
ＲＲＣ  ｃｏｎｎｅｃｔｅｄ状態で、かつ、Ｎｏｎ  ＤＲＸ状態、
ＲＲＣ  ｃｏｎｎｅｃｔｅｄ状態で、かつ、ＤＲＸ状態、
ＲＲＣ  ｃｏｎｎｅｃｔｅｄ状態で、かつ、上りリンクの個別リソースが解放されている状態、
上りリンクの個別リソースが解放されていない状態
の少なくとも１つの状態において、前記基地局装置により送信された下りリンクの信号に基づいて測定された下りリンクの品質情報に基づいて、下りリンクの同期状態を判定することを特徴とするユーザ装置。
【請求項１５】
ユーザ装置と、該ユーザ装置と通信を行う基地局装置とを具備する移動通信システムにおける基地局装置であって：
下りリンク同期状態を判定するための閾値を通知する通知手段；
を備えること特徴とする基地局装置。
【請求項１６】
請求項１５に記載の基地局装置であって、
前記通知手段は、無線リソース制御（RRC）  メッセージ又は報知情報を用いて、前記閾値を通知することを特徴とする基地局装置。
【請求項１７】
ユーザ装置と、該ユーザ装置と通信を行う基地局装置とを具備する移動通信システムにおける基地局装置であって：
下りリンク同期状態を判定するための時間間隔を通知する通知手段；
を備えること特徴とする基地局装置。
【請求項１８】
基地局装置と通信を行うユーザ装置における送信制御方法であって：
前記基地局装置により送信された下りリンクの信号に基づいて測定された下りリンクの品質情報に基づいて、下りリンク同期状態を判定する第１のステップと、
前記下りリンク同期状態が、同期が確立されていないという状態である場合に、上りリンクの信号の送信を停止する第２のステップと、
を有することを特徴とする送信制御方法。
【発明の詳細な説明】
【技術分野】
【０００１】
本発明は、移動通信システムに関し、特に、ユーザ装置及び基地局装置並びに送信制御方法に関する。
【背景技術】
【０００２】
Ｗ−ＣＤＭＡやＨＳＤＰＡの後継となる通信方式、すなわちＬＴＥ（Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。【０００３】
ＯＦＤＭＡは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。【０００５】
ＷＣＤＭＡにおいては、下りリンクの同期状態を判定するために、以下の２つ指標が定義されている（例えば、非特許文献２参照）。【０００６】
・個別物理制御チャネルの受信品質（ＤＰＣＣＨ（Ｄｅｄｉｃａｔｅｄ  Ｐｈｙｓｉｃａｌ  Ｃｏｎｔｒｏｌ  Ｃｈａｎｎｅｌ）  ｑｕａｌｉｔｙ）
・巡回冗長検査（ＣＲＣ（Ｃｙｃｌｉｃ  Ｒｅｄｕｎｄａｎｃｙ  Ｃｈｅｃｋ）  ｃｈｅｃｋ）結果
ここで、ＤＰＣＣＨ  ｑｕａｌｉｔｙはパイロット  シンボル（Ｐｉｌｏｔ  ｓｙｍｂｏｌｓ）や送信電力制御（ＴＰＣ：  ｔｒａｎｓｍｉｓｓｉｏｎ  ｐｏｗｅｒ  ｃｏｎｔｒｏｌ）ビットの受信品質、例えば、ＳＩＲ（ｓｉｇｎａｌ−ｔｏ−ｉｎｔｅｒｆｅｒｅｎｃｅ  ｐｏｗｅｒ  ｒａｔｉｏ）や受信レベルに相当し、ＣＲＣ  ｃｈｅｃｋ結果はブロック  エラー  レート（Ｂｌｏｃｋ  ｅｒｒｏｒ  ｒａｔｅ）に相当する。【０００７】
ＷＣＤＭＡは、基地局装置と移動局との間に１対１で設定される通信チャネル（個別チャネル）を用いた移動通信方式であり、ＤＰＣＣＨは基本的に毎スロット送信される。よって、上述したような、毎スロット送信されるＤＰＣＣＨを用いた同期判定が可能となる。【０００８】
また、ＤＰＣＣＨには上りリンクの送信電力制御のためのＴＰＣビットが含まれており、このＴＰＣビットが誤った場合に、上りリンクの送信電力が適切に制御されないという問題が生じる。例えば、ＴＰＣビット誤りにより、上りリンクの送信電力が必要以上に大きくなった場合には、他の移動局から送信される上りリンクの信号に対して干渉信号となり、結果として、システムの効率を損なうことになる。よって、ＴＰＣビット、あるいは、ＴＰＣビットと同等の信号である個別パイロットシンボルの受信品質に応じて下りリンクの同期状態を判定し、同期が確立されていないと検出した場合には、上りリンクの送信を停止するといった制御が行われる（非特許文献３）。
【非特許文献１】3GPP TR 25.814 (V7.0.0), "Physical Layer Aspects for Evolved UTRA," June 2006
【非特許文献２】3GPP TS 25.214 (V7.2.0), "4.3.1.3 Uplink Synchronization primitives" Sept. 2006
【非特許文献３】3GPP TS 25.101 (V7.5.0), "6.4.4 Out-of-synchronization handling of output power" Sept. 2006
【非特許文献４】R1-073209, "Way Forward on Uplink Power Control of PUCCH" June. 2007
【非特許文献５】3GPP TS25.214，V6.10.0, (2006-09)
【非特許文献６】3GPP TS36.214, v 1.0.0, 2007-05
【発明の開示】
【発明が解決しようとする課題】
【０００９】
しかしながら、上述した背景技術には以下の問題がある。【００１０】
ＬＴＥシステムは、上りリンク、下りリンクともに共有チャネルを用いた通信システムであり、ＷＣＤＭＡのような基地局装置と移動局の間で1対1に設定される個別チャネルは存在しない。よって、上述したＤＰＣＣＨを用いた同期外れの判定を行うことができない。【００１１】
一方、ＬＴＥシステムでは、移動局は上りリンクの送信電力をパスロスに基づいて算出することが検討されている（例えば、非特許文献４参照）。尚、パスロスは、一般に、下りリンクのリファレンス信号の受信電力と下りリンクのリファレンス信号の送信電力とにより算出される。すなわち、下りリンクのリファレンス信号の受信品質が劣化した場合、精度良くパスロスを測定することが困難となり、その結果、精度良く上りリンクの送信電力を設定することができないという問題が生じる。【００１２】
また、ＷＣＤＭＡの場合には、ＤＰＣＣＨの送信電力を制御することにより、下りリンクの同期外れが発生する領域を制御することが可能であった。例えば、ＤＰＣＣＨの送信電力の最大値を小さくすることにより、下りリンクの同期状態が確立されている領域を小さくすることが可能である。【００１３】
そこで、本発明は、上述した課題に鑑み、その目的は、下りリンクにおける同期状態を判定することができるユーザ装置及び通信制御方法を提供することにある。【００１４】
本発明の他の目的は、下りリンクにおける同期状態の判定結果に基づいて、上りリンクの送信を停止することができるユーザ装置及び通信制御方法を提供することにある。【００１５】
本発明の他の目的は、基地局装置より、移動局に対して、下りリンクの同期状態を判定する場合の閾値を指定することができる基地局装置を提供することにある。
【課題を解決するための手段】
【００１６】
上記課題を解決するため、本発明のユーザ装置は、
基地局装置と通信を行うユーザ装置であって：
前記基地局装置により送信された下りリンクの信号に基づいて測定された下りリンクの品質情報に基づいて、下りリンクの同期状態を判定する判定手段；
を備えることを特徴の１つとする。【００１７】
本発明の他のユーザ装置は、
ユーザ装置と、該ユーザ装置と通信を行う基地局装置とを具備する移動通信システムにおけるユーザ装置であって：
前記基地局装置より送信される、下りリンク同期状態を判定するための閾値を受信する受信手段；
前記閾値に基づいて、下りリンクの同期状態を判定する判定手段；
を備えること特徴の１つとする。【００１８】
本発明の他の基地局装置は、
ユーザ装置と、該ユーザ装置と通信を行う基地局装置とを具備する移動通信システムにおける基地局装置であって：
下りリンク同期状態を判定するための閾値を通知する通知手段；
を備えること特徴の１つとする。【００１９】
本発明の送信制御方法は、
基地局装置と通信を行うユーザ装置における送信制御方法であって：
前記基地局装置により送信された下りリンクの信号に基づいて測定された下りリンクの品質情報に基づいて、下りリンク同期状態を判定する第１のステップと、
前記下りリンク同期状態が、同期が確立されていないという状態である場合に、上りリンクの信号の送信を停止する第２のステップと、
を備えることを特徴の１つとする。
【発明の効果】
【００２０】
本発明の実施例によれば、下りリンクにおける同期状態を判定することができるユーザ装置及び通信制御方法を実現できる。【００２１】
本発明の他の目的は、下りリンクにおける同期状態の判定結果に基づいて、上りリンクの送信を停止することができるユーザ装置及び通信制御方法を実現できる。【００２２】
本発明の他の目的は、基地局装置より、移動局に対して、下りリンクの同期状態を判定する場合の閾値を指定することができる基地局装置を実現できる。
【図面の簡単な説明】
【００２３】
【図１】本発明の実施例に係る無線通信システムの構成を示すブロック図である。
【図２】上りリンク制御チャネルのマッピングの一例を示す説明図である。
【図３】本発明の一実施例に係る基地局装置を示すブロック図である。
【図４】本発明の一実施例に係る基地局装置のベースバンド信号処理部を示す部分ブロック図である。
【図５】本発明の一実施例に係るユーザ装置を示すブロック図である。
【図６】本発明の一実施例に係るユーザ装置のベースバンド信号処理部を示す部分ブロック図である。
【図７】ＣＱＩ算出の一例を示す説明図である。
【図８】ＣＱＩ算出の一例を示す説明図である。
【図９】本発明の一実施例に係る送信制御方法を示すフロー図である。
【図１０】本発明の一実施例に係る送信制御方法を示すフロー図である。
【図１１】本発明の一実施例に係る送信制御方法を示すフロー図である。
【図１２】本発明の一実施例に係るユーザ装置のベースバンド信号処理部を示す部分ブロック図である。
【図１３Ａ】本発明の一実施例に係る送信制御方法を示すフロー図である。
【図１３Ｂ】本発明の一実施例に係る送信制御方法を示すフロー図である。
【図１４】本発明の一実施例に係るユーザ装置のベースバンド信号処理部を示す部分ブロック図である。
【図１５Ａ】本発明の一実施例に係る送信制御方法を示すフロー図である。
【図１５Ｂ】本発明の一実施例に係る送信制御方法を示すフロー図である。
【図１６】本発明の一実施例に係るユーザ装置のベースバンド信号処理部を示す部分ブロック図である。
【図１７Ａ】本発明の一実施例に係る送信制御方法を示すフロー図である。
【図１７Ｂ】本発明の一実施例に係る送信制御方法を示すフロー図である。
【符号の説明】
【００２４】
５０  セル
１００ｎ（１００１、１００２、１００３、・・・、１００ｎ）  ユーザ装置
１０２  送受信アンテナ
１０４  アンプ部
１０６  送受信部
１０８  ベースバンド信号処理部
１０８０  Ａ／Ｄ変換器
１０８１  ＣＰ除去部
１０８２  高速フーリエ変換部（ＦＦＴ）
１０８３  分離部（ＤｅＭＵＸ）
１０８４  データ信号復号部
１０８５  下りリンクリファレンス信号受信部
１０８６  ＣＱＩ算出部
１０８７  同期状態判定部
１０８８  ＭＡＣ処理部
１０８９  ＲＬＣ処理部
１０９０  信号生成部
１０９１  送信処理部
１０９２  ＲＳＲＰ算出部
１０９４  ＳＩＲ算出部
１１０  呼処理部
１１２  アプリケーション部
２００  基地局装置
２０２  送受信アンテナ
２０４  アンプ部
２０６  送受信部
２０８  ベースバンド信号処理部
２０８１  レイヤー１処理部
２０８１１  受信処理部
２０８１２  送信処理部
２０８１３  上りリンクの復号処理部
２０８１４  下りリンクの変調処理部
２０８１５  下りリンクのリファレンス信号生成部
２０８２  ＭＡＣ処理部
２０８３  ＲＬＣ処理部
２１０  呼処理部
２１２  伝送路インターフェース
３００  アクセスゲートウェイ装置
４００  コアネットワーク
５００  物理上りリンク共有チャネル
５１０  上りリンク制御チャネル
５２０  上りリンク制御チャネル
【発明を実施するための最良の形態】
【００２５】
次に、本発明を実施するための最良の形態を、以下の実施例に基づき図面を参照しつつ説明する。
なお、実施例を説明するための全図において、同一機能を有するものは同一符号を用い、繰り返しの説明は省略する。【００２６】
本発明の実施例に係るユーザ装置及び基地局装置が適用される無線通信システムについて、図１を参照して説明する。【００２７】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムであり、基地局装置（ｅＮＢ：  ｅＮｏｄｅ  Ｂ）２００と複数のユーザ装置（ＵＥ：  Ｕｓｅｒ  Ｅｑｕｉｐｍｅｎｔ）１００ｎ（１００１、１００２、１００３、・・・１００ｎ、ｎはｎ>０の整数）とを備える。基地局装置２００は、上位局、例えばアクセスゲートウェイ装置３００と接続され、アクセスゲートウェイ装置３００は、コアネットワーク４００と接続される。ここで、ユーザ装置１００ｎはセル５０において基地局装置２００とＥｖｏｌｖｅｄ  ＵＴＲＡ  ａｎｄ  ＵＴＲＡＮにより通信を行う。【００２８】
以下、ユーザ装置１００ｎ（１００１、１００２、１００３、・・・１００ｎ）については、同一の構成、機能、状態を有するので、以下では特段の断りがない限りユーザ装置１００ｎとして説明を進める。説明の便宜上、基地局装置と無線通信するのは移動局であるが、より一般的には移動端末も固定端末も含むユーザ装置（ＵＥ：  Ｕｓｅｒ  Ｅｑｕｉｐｍｅｎｔ）でよい。【００２９】
無線通信システム１０００は、無線アクセス方式として、下りリンクについてはＯＦＤＭＡ（周波数分割多元接続）、上りリンクについてはＳＣ−ＦＤＭＡ（シングルキャリア−周波数分割多元接続）が適用される。上述したように、ＯＦＤＭＡは、周波数帯域を複数の狭い周波数帯域（サブキャリア）に分割し、各周波数帯上にデータを載せて伝送を行う方式である。ＳＣ−ＦＤＭＡは、周波数帯域を分割し、複数の端末間で異なる周波数帯域を用いて伝送することで、端末間の干渉を低減することができる伝送方式である。【００３０】
ここで、Ｅｖｏｌｖｅｄ  ＵＴＲＡ  ａｎｄ  ＵＴＲＡＮにおける通信チャネルについて説明する。【００３１】
下りリンクについては、各ユーザ装置１００ｎで共有して使用される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、下りリンクの制御チャネルである物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とが用いられる。すなわち、下りリンクチャネルは、物理下りリンク共有チャネルと物理下りリンク制御チャネルとを指す。下りリンクでは、物理下りリンク制御チャネルにより、物理下りリンク共有チャネルにマッピングされるユーザの情報やトランスポートフォーマットの情報、物理上りリンク共有チャネルにマッピングされるユーザの情報やトランスポートフォーマットの情報、物理上りリンク共有チャネルの送達確認情報などが通知され、物理下りリンク共有チャネルによりユーザデータが伝送される。【００３２】
尚、物理下りリンク共有チャネルにマッピングされるトランスポートチャネルは下りリンク共有チャネル（ＤＬ−ＳＣＨ：  Ｄｏｗｎｌｉｎｋ  Ｓｈａｒｅｄ  Ｃｈａｎｎｅｌ）である。すなわち、パケットデータは、ＤＬ−ＳＣＨにマッピングされる。また、前記ＤＬ−ＳＣＨには、論理チャネルとして、Ｕ−ｐｌａｎｅの信号であるＤＴＣＨやＣ−ｐｌａｎｅの信号であるＤＣＣＨ、報知情報であるＢＣＣＨ等がマッピングされる。【００３３】
また、上述した、物理下りリンク共有チャネルにマッピングされるユーザの情報やトランスポートフォーマットの情報は、下りリンク  スケジューリング情報（Ｄｏｗｎｌｉｎｋ  Ｓｃｈｅｄｕｌｉｎｇ  Ｉｎｆｏｒｍａｔｉｏｎ）と呼ばれる。前記下りリンク  スケジューリング情報は、Ｄｏｗｎｌｉｎｋ  Ａｓｓｉｇｎｍｅｎｔ  ＩｎｆｏｒｍａｔｉｏｎまたはＤｏｗｎｌｉｎｋ  Ｓｃｈｅｄｕｌｉｎｇ  Ｇｒａｎｔと呼ばれてもよい。また、物理上りリンク共有チャネルにマッピングされるユーザの情報やトランスポートフォーマットの情報は、上りリンク  スケジューリング  グラント（Ｕｐｌｉｎｋ  Ｓｃｈｅｄｕｌｉｎｇ  Ｇｒａｎｔ）と呼ばれる。前記下りリンク  スケジューリング情報や上りリンク  スケジューリング  グラントは、まとめて、下り制御情報（Ｄｏｗｎｌｉｎｋ  Ｃｏｎｔｒｏｌ  Ｉｎｆｏｒｍａｔｉｏｎ）と呼ばれてもよい。【００３４】
また、下りリンクにおいては、パイロット信号として、下りリンクリファレンス信号（ＤＬ  ＲＳ：Ｄｏｗｎｌｉｎｋ  Ｒｅｆｅｒｅｎｃｅ  Ｓｉｇｎａｌ）が送信される。下りリンクリファレンス信号は、例えば、ユーザ装置により下りリンクのチャネル推定や無線品質の測定に用いられる。【００３５】
上りリンクについては、各ユーザ装置１００ｎで共有して使用される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）と、ＬＴＥ用の上りリンク制御チャネルとが用いられる。すなわち、上りリンクチャネルは、物理上りリンク共有チャネルとＬＴＥ用の上りリンク制御チャネルとを指す。尚、ＬＴＥ用の上りリンク制御チャネルには、物理上りリンク共有チャネルと時間多重されるチャネルと、周波数多重されるチャネルの２種類がある。図２に、ＬＴＥ用の上りリンク制御チャネルのマッピングを示す。尚、図２において、周波数多重されている上りリンク制御チャネルは、サブフレーム内の２つのスロット間で、マッピングされる位置が異なる（周波数ホッピングが行われる）。図２において、５００は物理上りリンク共有チャネルを示し、５１０は物理上りリンク共有チャネルと周波数多重される場合を示し、５２０は物理上りリンク共有チャネルと時間多重される場合を示す。尚、図２においては、前記時間多重される上りリンク制御チャネルは、サブフレームの先頭にマッピングされているが、サブフレームの途中にマッピングされてもよい。また、前記時間多重される上りリンク制御チャネルは、前記物理上りリンク共有チャネルの一部として送信されてもよい。【００３６】
上りリンクでは、ＬＴＥ用の上りリンク制御チャネルにより、下りリンクにおける共有チャネルのスケジューリング、適応変復調・符号化（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：  Ｃｈａｎｎｅｌ  Ｑｕａｌｉｔｙ  Ｉｎｄｉｃａｔｏｒ）及び下りリンクの物理下りリンク共有チャネルの送達確認情報（ＨＡＲＱ  ＡＣＫ  ｉｎｆｏｒｍａｔｉｏｎ）が伝送される。また、物理上りリンク共有チャネルによりパケットデータが伝送される。【００３７】
尚、物理上りリンク共有チャネルにマッピングされるトランスポートチャネルは上りリンク共有チャネル（ＵＬ−ＳＣＨ：  Ｕｐｌｉｎｋ  Ｓｈａｒｅｄ  Ｃｈａｎｎｅｌ）である。すなわち、ユーザデータは、ＵＬ−ＳＣＨにマッピングされる。【００３８】
尚、上述したユーザデータとは、例えば、Ｗｅｂ  ｂｒｏｗｓｉｎｇやＦＴＰ、ＶｏＩＰ等によるＩＰパケットや、Ｒａｄｉｏ  Ｒｅｓｏｕｒｃｅ  Ｃｏｎｔｒｏｌ（ＲＲＣ）の処理のための制御信号などのことであり、以下では、パケットデータとも呼ぶ。また、ユーザデータは、トランスポートチャネルとしての呼び方は、例えばDＬ−ＳＣＨやＵＬ−ＳＣＨでよく、論理チャネルとしての呼び方は、例えば、個別トラヒックチャネル（ＤＴＣＨ：  ｄｅｄｉｃａｔｅｄ  ｔｒａｆｆｉｃ  ｃｈａｎｎｅｌ）や個別制御チャネル（ＤＣＣＨ：  ｄｅｄｉｃａｔｅｄ  ｃｏｎｔｒｏｌ  ｃｈａｎｎｅｌ）でよい。【００３９】
本実施例に係る基地局装置２００について、図３を参照して説明する。【００４０】
基地局装置２００は、送受信アンテナ２０２と、アンプ部２０４と、送受信部２０６と、ベースバンド信号処理部２０８と、呼処理部２１０と、伝送路インターフェース２１２とを備える。【００４１】
下りリンクにより基地局装置２００からユーザ装置１００ｎに送信されるパケットデータは、基地局装置２００の上位に位置する上位局、例えばアクセスゲートウェイ装置３００から伝送路インターフェース２１２を介してベースバンド信号処理部２０８に入力される。【００４２】
ベースバンド信号処理部２０８では、ＰＤＣＰ  ｌａｙｅｒの送信処理、パケットデータの分割・結合、ＲＬＣ（ｒａｄｉｏ  ｌｉｎｋ  ｃｏｎｔｒｏｌ）再送制御の送信処理などのＲＬＣ  ｌａｙｅｒの送信処理、ＭＡＣ再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。また、上記パケットデータに加えて、報知チャネルにより基地局装置２００からユーザ装置１００ｎに送信される報知情報も、同様の送信処理が行われて、送受信部２０６に転送される。【００４３】
送受信部２０６では、ベースバンド信号処理部２０８から出力されたベースバンド信号を無線周波数帯に変換する周波数変換処理が施され、その後、アンプ部２０４で増幅されて送受信アンテナ２０２より送信される。【００４４】
一方、上りリンクによりユーザ装置１００ｎから基地局装置２００に送信されるパケットデータについては、送受信アンテナ２０２で受信された無線周波数信号がアンプ部２０４で増幅され、送受信部２０６で周波数変換されてベースバンド信号に変換され、ベースバンド信号処理部２０８に入力される。【００４５】
ベースバンド信号処理部２０８では、入力されたベースバンド信号に対して、ＦＦＴ処理、誤り訂正復号、ＭＡＣ再送制御の受信処理、ＲＬＣ  ｌａｙｅｒの受信処理、ＰＤＣＰ  ｌａｙｅｒの受信処理がなされ、伝送路インターフェース２１２を介してアクセスゲートウェイ装置３００に転送される。【００４６】
ここで、パケットデータとは、上述したように、例えば、ＶｏＩＰにおける音声信号や、ＦＴＰ、ストリーミング、Ｗｅｂ  ｂｒｏｗｓｉｎｇ等の各アプリケーションで伝送される信号のことである。【００４７】
呼処理部２１０は、ユーザ装置１００ｎと基地局装置２００との間の通信状態の管理、基地局装置２００の状態管理やリソース割り当てを行う。【００４８】
また、呼処理部２１０は、ユーザ装置１００ｎにおける下りリンクの同期状態を判定するための閾値を保持し、報知チャネル又は無線リソース制御メッセージ（ＲＲＣ  ｍｅｓｓａｇｅ）を用いて、ユーザ装置１００ｎに通知してもよい。具体的には後述するが、ユーザ装置１００ｎがＣＱＩ値に基づいて下りリンクの同期状態を判定する際に用いる閾値ＴＨ１、ＴＨ２、ＴＨ３、及びTH5や時間間隔T4を、報知チャネル又はＲＲＣ  ｍｅｓｓａｇｅを用いて、ユーザ装置に通知する。報知チャネルやＲＲＣ  ｍｅｓｓａｇｅは、呼処理部２１０から、ベースバンド信号処理部２０８、送受信部２０６、アンプ部２０４、送受信アンテナ２０２を介して、ユーザ装置１００ｎに送信される。報知チャネルにより閾値ＴＨ１、ＴＨ２、ＴＨ３、及びTH5や時間間隔T4を通知することにより、セル５０内で共通の判断基準で下りリンクの同期状態の判定を行うことができる。【００４９】
一方、ＲＲＣ  ｍｅｓｓａｇｅにより閾値ＴＨ１、ＴＨ２、ＴＨ３、及びTH5や時間間隔T4を通知する場合には、ＲＲＣ  ｍｅｓｓａｇｅが各ユーザ装置に個別に通知されるため、各ユーザ装置に適した判断基準で、下りリンクの同期状態の判定を行うことができる。【００５０】
尚、上述した閾値ＴＨ１、ＴＨ２、ＴＨ３、及びＴＨ５や時間間隔Ｔ４は、ユーザ装置１００ｎが、ＲＲＣ  ｃｏｎｎｅｃｔｅｄ状態においてＣＱＩ値に基づいて下りリンクの同期状態を判定する際に用いる閾値であってもよいし、ユーザ装置１００ｎが、Ｉｄｌｅ状態においてＣＱＩ値に基づいて下りリンクの同期状態を判定する際に用いる閾値であってもよい。あるいは、上述した閾値ＴＨ１、ＴＨ２、ＴＨ３、及びＴＨ５は、ユーザ装置１００ｎが、ＲＲＣ  ｃｏｎｎｅｃｔｅｄ状態とＩｄｌｅ状態の両方においてＣＱＩ値に基づいて下りリンクの同期状態を判定する際に用いる閾値であってもよい。あるいは、上述した閾値ＴＨ１、ＴＨ２、ＴＨ３、及びＴＨ５は、ＲＲＣ  ｃｏｎｎｅｃｔｅｄ状態である場合とＩｄｌｅ状態である場合とで、別々に定義された値であってもよい。
あるいは、上述した閾値ＴＨ１、ＴＨ２、ＴＨ３、及びＴＨ５や時間間隔Ｔ４は、ユーザ装置１００ｎが、ＲＲＣ  ｃｏｎｎｅｃｔｅｄ状態で、かつ、ＤＲＸ状態においてＣＱＩ値に基づいて下りリンクの同期状態を判定する際に用いる閾値であってもよいし、ユーザ装置１００ｎが、ＲＲＣ  ｃｏｎｎｅｃｔｅｄ状態で、かつ、Ｎｏｎ―ＤＲＸ状態においてＣＱＩ値に基づいて下りリンクの同期状態を判定する際に用いる閾値であってもよい。あるいは、上述した閾値ＴＨ１、ＴＨ２、ＴＨ３、及びＴＨ５は、ユーザ装置１００ｎが、ＲＲＣ  ｃｏｎｎｅｃｔｅｄ状態で、かつ、ＤＲＸ状態である場合と、ＲＲＣ  ｃｏｎｎｅｃｔｅｄ状態で、かつ、Ｎｏｎ−ＤＲＸ状態である場合の両方においてＣＱＩ値に基づいて下りリンクの同期状態を判定する際に用いる閾値であってもよい。あるいは、上述した閾値ＴＨ１、ＴＨ２、ＴＨ３、及びＴＨ５は、ＲＲＣ  ｃｏｎｎｅｃｔｅｄ状態で、かつ、Ｎｏｎ−ＤＲＸである場合と、ＲＲＣ  ｃｏｎｎｅｃｔｅｄ状態で、かつ、ＤＲＸ状態である場合とで、別々に定義された値であってもよい。
あるいは、上述した閾値ＴＨ１、ＴＨ２、ＴＨ３、及びＴＨ５や時間間隔Ｔ４は、ユーザ装置１００ｎが、ＲＲＣ  ｃｏｎｎｅｃｔｅｄ状態で、かつ、上りリンクの個別リソースが解放されている状態においてＣＱＩ値に基づいて下りリンクの同期状態を判定する際に用いる閾値であってもよいし、ユーザ装置１００ｎが、ＲＲＣ  ｃｏｎｎｅｃｔｅｄ状態で、かつ、上りリンクの個別リソースが解放されていない状態においてＣＱＩ値に基づいて下りリンクの同期状態を判定する際に用いる閾値であってもよい。あるいは、上述した閾値ＴＨ１、ＴＨ２、ＴＨ３、及びＴＨ５は、ユーザ装置１００ｎが、ＲＲＣ  ｃｏｎｎｅｃｔｅｄ状態で、かつ、上りリンクの個別リソースが解放されている状態である場合と、ＲＲＣ  ｃｏｎｎｅｃｔｅｄ状態で、かつ、上りリンクの個別リソースが解放されていない状態である場合の両方においてＣＱＩ値に基づいて下りリンクの同期状態を判定する際に用いる閾値であってもよい。あるいは、上述した閾値ＴＨ１、ＴＨ２、ＴＨ３、及びＴＨ５は、ＲＲＣ  ｃｏｎｎｅｃｔｅｄ状態で、かつ、上りリンクの個別リソースが解放されている場合と、ＲＲＣ  ｃｏｎｎｅｃｔｅｄ状態で、かつ、上りリンクの個別リソースが解放されていない状態である場合とで、別々に定義された値であってもよい。尚、前記上りリンクの個別リソースとは、例えば、全てのＰＵＣＣＨリソースや当該ユーザ装置に割り当てられているサウンディングリファレンス信号であってもよい。また、上りリンクの個別リソースが解放されている状態とは、例えば、上りリンクのタイムアラインメント、すなわち、タイミング同期が維持されていない状態のことを指してもよい。【００５１】
次に、ベースバンド信号処理部２０８の構成について、図４を参照して説明する。【００５２】
ベースバンド信号処理部２０８は、レイヤー１処理部２０８１と、ＭＡＣ（Ｍｅｄｉｕｍ  Ａｃｃｅｓｓ  Ｃｏｎｔｒｏｌ）処理部２０８２と、ＲＬＣ処理部２０８３とを備える。また、レイヤー１処理部２０８１は、受信処理部２０８１１と、送信処理部２０８１２と、上りリンクの復号処理部２０８１３と、下りリンクの信号生成部２０８１４と、下りリンクのリファレンス信号生成部２０８１５とを備える。【００５３】
レイヤー１処理部２０８１では、下りリンクで送信されるデータのチャネル符号化やＩＦＦＴ処理、上りリンクで送信されるデータのチャネル復号化やＩＤＦＴ処理、ＦＦＴ処理などが行われる。【００５４】
具体的には、下りリンクにより送信される信号、例えば、下りリンクの共有チャネル（ＤＬ−ＳＣＨ）やＤＬ  Ｓｃｈｅｄｕｌｉｎｇ  Ｉｎｆｏｒｍａｔｉｏｎ、ＵＬ  Ｓｃｈｅｄｕｌｉｎｇ  Ｇｒａｎｔ、ＵＬ−ＳＣＨに関する送達確認情報、報知チャネル（ＢＣＨ：  ｂｒｏａｄｃａｓｔ  ｃｈａｎｎｅｌ）、ページングチャネル（ＰＣＨ：  ｐａｇｉｎｇ  ｃｈａｎｎｅｌ）等は、下りリンクの変調処理部２０８１４において、ターボ符号や畳み込み符号等の符号化処理やインタリーブ処理が行われ、送信処理部２０８１２に入力される。また、下りリンクのリファレンス信号処理部２０８１５において下りリンクのリファレンス信号が生成され、送信処理部２０８１２に入力される。送信処理部２０８１２は、下りリンクの共有チャネルＤＬ−ＳＣＨやＤＬ  Ｓｃｈｅｄｕｌｉｎｇ  Ｉｎｆｏｒｍａｔｉｏｎ、ＵＬ  Ｓｃｈｅｄｕｌｉｎｇ  Ｇｒａｎｔ、ＵＬ−ＳＣＨに関する送達確認情報、報知チャネル、ページングチャネル等の信号と、下りリンクのリファレンス信号とを多重し、その後、ＩＦＦＴ処理、ＣＰ付加処理等を行い、送受信部２０６に入力する。【００５５】
一方、上りリンクで受信される信号、例えば、ＣＱＩやＡＣＫ  ｉｎｆｏｒｍａｔｉｏｎ、ＵＬ−ＳＣＨ、復調用リファレンス信号（ＤＭ  ＲＳ：  ｄｅｍｏｄｕｌａｔｏｉｏｎ  Ｒｅｆｅｒｅｎｃｅ  Ｓｉｇｎａｌ）、サウンディング  リファレンス信号（Ｓｏｕｎｄｉｎｇ  ＲＳ）等の信号は、送受信部２０６より、そのベースバンド信号が入力され、受信処理部２０８１１において、ＣＰ除去処理、ＦＦＴ処理、周波数等化処理、逆離散フーリエ変換（ＩＤＦＴ：  ｉｎｖｅｒｓｅ  ｄｉｓｃｒｅｔｅ  Ｆｏｕｒｉｅｒ  ｔｒａｎｓｆｏｒｍ）処理等が行われ、その後、上りリンクの復号処理部２０８１３において、畳み込み復号やターボ復号等の復号処理が行われる。そして、復号後のＣＱＩやＡＣＫ  ｉｎｆｏｒｍａｔｉｏｎ、ＵＬ−ＳＣＨ等の信号は、ＭＡＣ処理部２０８２に転送される。また、サウンディング  リファレンス信号に関しては、上りリンクの復号処理部２０８１３において、そのＳＩＲが計算され、ＭＡＣ処理部２０８２に通知される。【００５６】
尚、レイヤー１処理部２０８１においては、上述した信号に関する復調処理の他に、リリース  リクエスト（Release  request）やスケジューリング  リクエスト（Scheduling  request）の復調処理が行われてもよい。【００５７】
ＭＡＣ処理部２０８２は、レイヤー１処理部２０８１よりユーザ装置１００nから報告されたＣＱＩやＡＣＫ  Ｉｎｆｏｒｍａｔｉｏｎ、ＵＬ−ＳＣＨの復調結果、ユーザ装置１００nが上りリンクにおいて送信したサウンディング  リファレンス信号のＳＩＲを受け取る。【００５８】
ＭＡＣ処理部２０８２は、下りリンクのパケットデータのＭＡＣ再送制御、例えばＨＡＲＱの送信処理や、スケジューリング処理、伝送フォーマットの選択処理、周波数リソースの割り当て処理等を行う。ここで、スケジューリング処理とは、当該サブフレームの下りリンクにおいて共有チャネルを用いてパケットデータの受信を行うユーザ装置を選別する処理のことを指す。また、伝送フォーマットの選択処理とは、スケジューリングにおいて選別されたユーザ装置が受信するパケットデータに関する変調方式や符号化率、データサイズを決定する処理のことを指す。変調方式、符号化率、データサイズの決定は、例えば、ユーザ装置から上りリンクにおいて報告されるＣＱＩの値に基づいて行われる。【００５９】
さらに、周波数リソースの割り当て処理とは、スケジューリングにおいて選別されたユーザ装置が受信するパケットデータに用いられるリソースブロックを決定する処理のことを指す。リソースブロックの決定は、例えば、ユーザ装置から上りリンクにおいて報告されるＣＱＩに基づいて行われる。ユーザ装置から報告されるＣＱＩは、レイヤー１処理部２０８１より通知される。そして、ＭＡＣ処理部２０８２は、上述したスケジューリング処理、伝送フォーマットの選択処理、周波数リソースの割り当て処理により決定される、物理下りリンク共有チャネルを用いて通信を行うユーザ（ユーザ装置）のＩＤや、そのパケットデータのトランスポートフォーマットの情報、すなわち、Ｄｏｗｎｌｉｎｋ  Ｓｃｈｅｄｕｌｉｎｇ  Ｉｎｆｏｒｍａｔｉｏｎをレイヤー１処理部２０８１に通知する。また、MAC処理部２０８２は、該移動局に対して送信するパケットデータをレイヤー1処理部２０８１に送信する。【００６０】
また、ＭＡＣ処理部２０８２は、上りリンクのパケットデータのＭＡＣ再送制御の受信処理や、スケジューリング処理、伝送フォーマットの選択処理、周波数リソースの割り当て処理等を行う。ここで、スケジューリング処理とは、所定のサブフレームにおいて共有チャネルを用いてパケットデータの送信を行うユーザ装置を選別する処理のことを指す。また、伝送フォーマットの選択処理とは、スケジューリングにおいて選別されたユーザ装置が送信するパケットデータに関する変調方式や符号化率、データサイズを決定する処理のことを指す。変調方式、符号化率、データサイズの決定は、例えば、ユーザ装置から上りリンクにおいて送信されるサウンディング用リファレンス信号のＳＩＲやユーザ装置と基地局装置との間のパスロスに基づいて行われる。さらに、周波数リソースの割り当て処理とは、スケジューリングにおいて選別されたユーザ装置が送信するパケットデータの送信に用いられるリソースブロックを決定する処理のことを指す。リソースブロックの決定は、例えば、ユーザ装置から上りリンクにおいて送信されるサウンディング用リファレンス信号のＳＩＲに基づいて行われる。そして、ＭＡＣ処理部２０８２は、上述したスケジューリング処理、伝送フォーマットの選択処理、周波数リソースの割り当て処理により決定される、物理上りリンク共有チャネルを用いて通信を行うユーザ（ユーザ装置）のＩＤや、そのユーザデータのトランスポートフォーマットの情報、すなわち、ＵＬ  Ｓｃｈｅｄｕｌｉｎｇ  Ｇｒａｎｔを生成し、レイヤー１処理部２０８１に通知する。また、ＭＡＣ処理部２０８２は、上りリンクの共有チャネルの復調結果に基づき、送達確認情報を生成し、その上りリンクの共有チャネルに対する送達確認情報をレイヤー１処理部２０８１に通知する。【００６１】
ＲＬＣ処理部２０８３では、下りリンクのパケットデータに関する、分割・結合、ＲＬＣ再送制御の送信処理等のＲＬＣ  ｌａｙｅｒの送信処理や、上りリンクのデータに関する、分割・結合、ＲＬＣ再送制御の受信処理等のＲＬＣ  ｌａｙｅｒの受信処理が行われる。尚、ＲＬＣ処理部２０８３においては、上記ＲＬＣ  ｌａｙｅｒの処理に加えて、ＰＤＣP  ｌａｙｅｒの処理が行われてもよい。【００６２】
次に、本発明の実施例に係るユーザ装置１００nについて、図５を参照して説明する。移動局１００nは、アンテナ１０２と、アンプ部１０４と、送受信部１０６と、ベースバンド信号処理部１０８と、呼処理部１１０とアプリケーション部１１２とを具備する。【００６３】
基地局装置２００により送信された下りリンクの信号は、アンテナ１０２で受信され、該アンテナ１０２で受信された無線周波数信号がアンプ部１０４で増幅され、送受信部１０６で周波数変換されてベースバンド信号に変換される。このベースバンド信号は、ベースバンド信号処理部１０８でＦＦＴ処理や、誤り訂正復号等の受信処理がなされる。【００６４】
また、ベースバンド信号処理部１０８では、後述するが、下りリンクのリファレンス信号を用いて、下りリンクの品質情報（ＣＱＩ：  Ｃｈａｎｎｅｌ  ｑｕａｌｉｔｙ  ｉｎｄｉｃａｔｏｒ）が生成される。そして、下りリンクの品質情報に基づいて、下りリンクの同期状態に関する判定処理が行われる。【００６５】
一方、上りリンクのパケットデータについては、アプリケーション部１１２からベースバンド信号処理部１０８に入力される。ベースバンド信号処理部１０８では、ＰＤＣＰ  ｌａｙｅｒの処理や、パケットデータの分割・結合、ＲＬＣ（ｒａｄｉｏ  ｌｉｎｋ  ｃｏｎｔｒｏｌ）再送制御の送信処理などのＲＬＣレイヤーの送信処理や、再送制御（Ｈ−ＡＲＱ  （Ｈｙｂｒｉｄ  ＡＲＱ））の送信処理等のＭＡＣレイヤーの送信処理、チャネル符号化、DFT処理、ＩＦＦＴ処理等が行われて送受信部１０６に転送される。送受信部１０６では、ベースバンド信号処理部１０８から入力されたベースバンド信号を無線周波数帯に変換する周波数変換処理が施され、その後、アンプ部１０４で増幅されて送受信アンテナ１０２より送信される。【００６６】
尚、上述したユーザデータとは、例えば、Ｗｅｂ  ｂｒｏｗｓｉｎｇやＦＴＰ、ＶｏＩＰ等によるＩＰパケットや、Ｒａｄｉｏ  Ｒｅｓｏｕｒｃｅ  Ｃｏｎｔｒｏｌ（ＲＲＣ）の処理のための制御信号などである。また、ユーザデータは、論理チャネルとしての呼び方は、例えば、個別トラヒックチャネル（ＤＴＣＨ：  Ｄｅｄｉｃａｔｅｄ  Ｔｒａｆｆｉｃ  Ｃｈａｎｎｅｌ）やＤＣＣＨ（ＤＴＣＨ：  Ｄｅｄｉｃａｔｅｄ  Ｃｏｎｔｒｏｌ  Ｃｈａｎｎｅｌ）である。【００６７】
次に、ベースバンド信号処理部１０８の構成について、図６を参照して説明する。【００６８】
ベースバンド信号処理部１０８は、アナログ／ディジタル変換器（Ａ／Ｄ）１０８０と、ＣＰ除去部１０８１と、ＦＦＴ１０８２と、ＤｅＭＵＸ１０８３と、データ信号復号部１０８４と、下りリファレンス信号受信部１０８５と、ＣＱＩ算出部１０８６と、同期状態判定部１０８７と、ＭＡＣ処理部１０８８と、ＲＬＣ処理部１０８９と、信号生成部１０９０と、送信処理部１０９１とを備える。【００６９】
アナログディジタル変換器（Ａ／Ｄ）１０８０は、送受信部１０６より入力されたベースバンドのアナログ信号をディジタル信号に変換し、該ディジタル信号をＣＰ除去部１０８１に入力する。【００７０】
ＣＰ除去部１０８１は受信シンボルからＣＰを除去し、有効シンボル部分を残し、該有効シンボル部分をＦＦＴ１０８２に入力する。【００７１】
高速フーリエ変換部（ＦＦＴ）１０８２は、入力された信号を高速フーリエ変換し、ＯＦＤＭ方式の復調を行い、復調された信号をＤｅＭＵＸ１０８３に入力する。【００７２】
分離部（ＤｅＭＵＸ）１０８３は、受信信号から下りリンクのリファレンス信号とデータ信号とを分離し、下りリンクのリファレンス信号を下りリファレンス信号受信部１０８５に入力し、データ信号をデータ信号復号部１０８４に入力する。【００７３】
下りリンクリファンレス信号受信部１０８５は、入力された下りリンクのリファレンス信号に基づいてチャネル推定を行い、受信したデータ信号にどのようなチャネル補償がなされるべきかを決定する、すなわち、チャネル推定値を算出する。下りリンクリファンレス信号受信部１０８５は、算出したチャネル推定値をデータ信号復号部１０８５に入力する。また、下りリンクリファンレス信号受信部１０８５は、下りリンクのリファレンス信号とチャネル推定値を、ＣＱＩ算出部１０８６に入力する。【００７４】
データ信号復号部１０８４は、下りリンクリファンレス信号受信部１０８５よりチャネル推定結果を受け取り、該チャネル推定結果に基づいて、下りリンクのデータ信号を補償し、基地局装置２００から送信されたデータ信号を復元する。ここで、データ信号とは、基地局装置２００より送信された報知チャネルや下りリンクの共有チャネル、下りリンクの制御チャネルの信号のことである。ここで、上記報知チャネルとは、より具体的には、物理報知チャネル（Ｐ−ＢＣＨ：  Ｐｈｙｓｉｃａｌ  Ｂｒｏａｄｃａｓｔ  Ｃｈａｎｎｅｌ）やダイナミック報知チャネル（Ｄ−ＢＣＨ：  Ｄｙｎａｍｉｃ  Ｂｒｏａｄｃａｓｔ  Ｃｈａｎｎｅｌ)のことである。また、下りリンクの制御チャネルとは、物理下りリンク制御チャネル（ＰＤＣＣＨ）にマッピングされているＤＬ  Ｓｃｈｅｄｕｌｉｎｇ  Ｉｎｆｏｒｍａｔｉｏｎ、  ＵＬ  Ｓｃｈｅｄｕｌｉｎｇ  Ｇｒａｎｔ、上りリンクの共有チャネルのための送達確認情報等である。【００７５】
データ信号復号部１０８４は、復号後のデータ信号をＭＡＣ処理部１０８８に入力する。また、データ信号復号部１０８４は、Ｐ−ＢＣＨやＤ−ＢＣＨに含まれる情報を取得し、必要に応じて、ユーザ装置１００n内部の各部に通知する。【００７６】
ＣＱＩ算出部１０８６は、下りリンクリファンレス信号受信部１０８５より、下りリンクのリファレンス信号とチャネル推定値を受け取る。そして、ＣＱＩ算出部１０８６は、上記下りリンクのリファレンス信号とチャネル推定値に基づいて、ＣＱＩを算出する。【００７７】
具体的には、ＣＱＩ算出部１０８６は、下りリンクのリファレンス信号のＳＩＲを算出し、ＳＩＲと表１に示すような参照テーブルとを用いてＣＱＩを算出してもよい。表１には、ＣＱＩとＳＩＲの値との対応が示される。【００７８】
【表１】
2009022668.tif 000003
尚、表１に示す値はあくまで一例であり、適宜異なる値が設定されてもよい。また、表１に示されるＳＩＲの値は、例えば、所定の変調方式、リソースブロック数、データサイズのデータ信号を受信した場合に、所定の誤り率以下で受信可能であるＳＩＲであり、予め評価され、該評価結果に基づいて設定されてもよい。また、表１では、ＣＱＩの値として３１通りの値が定義されているが、代わりに１６通りの値が定義されていてもよい。【００７９】
ここで、ＣＱＩ算出部１０８６は、図７に示すように、システム帯域全体の周波数帯域に関する平均値を算出してもよいし、システム帯域の中心に位置する、言い換えればシステム帯域の中心周波数を含む１．０８ＭＨｚの周波数帯域に関する平均値を算出してもよい。図７には、システム帯域の中心周波数を含む６個のリソースブロックが示されている。図７において、横軸は周波数である。システム帯域の中心に位置する１．０８ＭＨｚの周波数帯域は、ＬＴＥにおいては同期チャネル（ＳＣＨ：  Ｓｙｎｃｈｒｏｎｉｚａｔｉｏｎ  Ｃｈａｎｎｅｌ）が送信される周波数帯域である。あるいは、リソースブロック毎のＣＱＩ値を算出してもよいし、あるいは、より柔軟に、システム帯域内の任意に設定される周波数帯域に関するＣＱＩ値を算出してもよい。尚、前記システム帯域全体の周波数帯域に関する平均値は、Ｗｉｄｅｂａｎｄ  ＣＱＩと呼ばれてもよい。【００８０】
あるいは、図８に示すように、複数のリソースブロックをグループ化した周波数帯域（以下、リソースブロックグループと呼ぶ）毎のＣＱＩ値を算出してもよい。図８においては、一例として５個のリソースブロックをグループ化して、１つのリソースブロックグループとしている場合を示す。図８において、横軸は周波数である。また、リソースブロック毎あるいはリソースブロックグループ毎のＣＱＩ値を算出する場合、ＣＱＩ値の大きい方からＭ個（Ｍは、Ｍ>０の整数）のリソースブロックあるいはリソースブロックグループのＣＱＩ値を算出してもよい。上記Ｍの値は、報知情報あるいはＲＲＣ  ｍｅｓｓａｇｅにより、基地局装置２００から指定される。あるいは、ユーザ装置１００ｎは、前記リソースブロックあるいはリソースブロックグループのＣＱＩ値を全て算出し、その算出した値を基地局装置２００に報告してもよい。尚、前記リソースグループ毎のＣＱＩ値は、Ｓｕｂｂａｎｄ  ＣＱＩと呼ばれてもよい。また、上記例においては、１つのリソースブロックグループ内のリソースブロック数を５としているが、５以外の値であってもよい。【００８１】
そして、ＣＱＩ算出部１０８６は、算出したＣＱＩ値を同期状態判定部１０８７と、信号生成部１０９０に入力する。【００８２】
同期状態判定部１０８７は、ＣＱＩ算出部１０８６よりＣＱＩ値を受け取る。そして、該ＣＱＩ値に基づき、下りリンクの同期状態を判定する。例えば、同期状態判定部１０８７は、ＣＱＩ値が０である場合に下りリンクの同期は確立されていない（同期が外れている）と判定し、ＣＱＩ値が０でない場合に下りリンクの同期は確立されている（同期が外れていない）と判定してもよい。【００８３】
ここで、同期状態判定部１０８７は、下りリンクの同期が確立されていると判定している状態において、ＣＱＩ値が０である状態が所定の時間間隔（以下、Ｔ４と記載する）以上連続した場合に、移動局１００nと基地局装置２００との間の下りリンクの同期は確立されていないと判定してもよい。あるいは、下りリンクの同期が確立されていると判定している状態において、所定の時間間隔T4における、ＣＱＩ値が０である時間の割合が所定の閾値TH5以上である場合に、移動局１００nと基地局装置２００との間の下りリンクの同期は確立されていないと判定してもよい。【００８４】
一方、同期状態判定部１０８７は、下りリンクの同期が確立されていないと判定している状態において、1回でもＣＱＩ値が０でない事象が発生した場合に、移動局１００nと基地局装置２００との間の下りリンクの同期は確立されていると判定してもよい。あるいは、同期状態判定部１０８７は、下りリンクの同期が確立されていないと判定している状態において、ＣＱＩ値が０でない状態が所定の時間間隔（以下、Ｔ４と記載する）以上連続した場合に、移動局１００nと基地局装置２００との間の下りリンクの同期は確立されていると判定してもよい。あるいは、下りリンクの同期が確立されていないと判定している状態において、所定の時間間隔T4における、ＣＱＩ値が０である時間の割合が所定の閾値TH5未満である場合に、移動局１００nと基地局装置２００との間の下りリンクの同期は確立されていると判定してもよい。尚、閾値TH5に関しても、後述するTH2, TH3のようにヒステリシスを考慮してもよい。【００８５】
尚、ＣＱＩ値が０であるという状態は、圏外（Ｏｕｔ−ｏｆ−ｒａｎｇｅ）という状態とみなすことが可能である。例えば、３ＧＰＰのＨＳＤＰＡ（Ｈｉｇｈ  Ｓｐｅｅｄ  Ｄｏｗｎｌｉｎｋ  Ｐａｃｋｅｔ  Ａｃｃｅｓｓ）において、ＣＱＩ値が０であるということは、Out-of-rangeと定義されている（例えば、非特許文献５参照）。【００８６】
あるいは、同期状態判定部１０８７は、ＣＱＩ値が０以外の場合でも、同期が確立されていないとみなせる場合には、同期が確立されていないと判定するようにしてもよい。このようにすることにより、ＣＱＩ値が０以外の場合でも、同期状態を判定できる。例えば、ＣＱＩ値が所定の閾値ＴＨ１未満の場合に同期は確立されていないと判定し、ＣＱＩ値がＴＨ１以上の場合に同期は確立されていると判定してもよい。例えば、ＴＨ１の値として、１や２といった値が設定されてもよい。尚、上記１や２といった値は一例であり、上記以外の値が設定されてもよい。【００８７】
あるいは、同期状態判定部１０８７は、ＣＱＩ値を用いて同期状態を判定する場合に、ヒステリシスを用いて判定してもよい。例えば、同期が確立されていると判定している状態においてＣＱＩ値が所定の閾値ＴＨ２未満の場合に同期は確立されていないと判定し、同期が確立されていないと判定している状態においてＣＱＩ値が所定の閾値ＴＨ３以上の場合に同期は確立されていると判定してもよい。尚、ＴＨ２とＴＨ３の差がヒステリシスに相当する。例えば、ＴＨ２の値として１が設定され、ＴＨ３の値として３という値が設定されてもよい。この場合、３と１の差である２がヒステリシスに相当する。尚、上記１や３といった値は一例であり、上記以外の値が設定されてもよい。【００８８】
ここで、同期状態判定部１０８７は、下りリンクの同期が確立されていると判定している状態において、ＣＱＩ値が所定の閾値TH1（あるいはTH2）未満である状態が所定の時間間隔（以下、Ｔ４と記載する）以上連続した場合に、移動局１００nと基地局装置２００との間の下りリンクの同期は確立されていないと判定してもよい。あるいは、下りリンクの同期が確立されていると判定している状態において、所定の時間間隔T4における、ＣＱＩ値が所定の閾値TH1(あるいはTH2)未満である時間の割合が所定の閾値TH5以上である場合に、移動局１００nと基地局装置２００との間の下りリンクの同期は確立されていないと判定してもよい。例えば、Ｔ４の値として、２００ｍｓといった値が設定されてもよい。また、例えば、ＴＨ５の値として５０％という値が設定されてもよい。尚、上記２００ｍｓや５０％といった値は一例であり、上記以外の値が設定されてもよい。【００８９】
一方、同期状態判定部１０８７は、下りリンクの同期が確立されていないと判定している状態において、1回でもＣＱＩ値が所定の閾値TH1（あるいはTH3）以上である事象が発生した場合に、移動局１００nと基地局装置２００との間の下りリンクの同期は確立されていると判定してもよい。あるいは、同期状態判定部１０８７は、下りリンクの同期が確立されていないと判定している状態において、ＣＱＩ値が所定の閾値TH1（あるいはTH3）以上である状態が所定の時間間隔（以下、Ｔ４と記載する）以上連続した場合に、移動局１００nと基地局装置２００との間の下りリンクの同期は確立されていると判定してもよい。あるいは、下りリンクの同期が確立されていないと判定している状態において、所定の時間間隔T4における、ＣＱＩ値が所定の閾値TH1（あるいはTH3）以上である時間の割合が所定の閾値TH5以上である場合に、移動局１００nと基地局装置２００との間の下りリンクの同期は確立されていると判定してもよい。尚、閾値TH5に関しても、TH2, TH3のようにヒステリシスを考慮してもよい。例えば、Ｔ４の値として、２００ｍｓといった値が設定されてもよい。また、例えば、ＴＨ５の値として５０％という値が設定されてもよい。尚、上記２００ｍｓや５０％といった値は一例であり、上記以外の値が設定されてもよい。【００９０】
ＴＨ１、ＴＨ２、ＴＨ３、及びTH5といった閾値や時間間隔T4は、ユーザ装置の内部パラメータとして設定されている値であってもよいし、外部から通知される値であってもよい。【００９１】
前記ＴＨ１、ＴＨ２、ＴＨ３、及びTH5といった閾値や時間間隔T4が外部から通知される値である場合には、例えば、同期状態判定部１０８７は、ＴＨ１、ＴＨ２、ＴＨ３、及びTH5といった閾値や時間間隔T4は、下りリンクの報知チャネルやＲＲＣ  ｍｅｓｓａｇｅにより、基地局装置２００より通知されてもよい。例えば、報知チャネルにより、閾値ＴＨ１、ＴＨ２、ＴＨ３、及びTH5や時間間隔T4といった閾値が通知される場合には、ベースバンド信号処理部１０８が、閾値ＴＨ１、ＴＨ２、ＴＨ３、及びTH5や時間間隔T4の受信処理を行い、呼処理部１１０に通知する。そして、呼処理部１１０は閾値ＴＨ１、ＴＨ２、ＴＨ３、及びTH5や時間間隔T4を、同期状態判定部１０８７に通知する。【００９２】
あるいは、ＲＲＣ  メッセージにより、ＴＨ１、ＴＨ２、ＴＨ３、及びTH5といった閾値や時間間隔T4が通知される場合には、ベースバンド信号処理部１０８が、閾値ＴＨ１、ＴＨ２、ＴＨ３、及びTH5や時間間隔T4の受信処理を行い、呼処理部１１０に通知する。そして、呼処理部１１０は閾値ＴＨ１、ＴＨ２、ＴＨ３、及びTH5や時間間隔T4を、同期状態判定部１０８７に通知する。【００９３】
報知チャネルにより閾値ＴＨ１、ＴＨ２、ＴＨ３、及びTH5や時間間隔T4を通知する場合には、セル５０内で共通の判断基準で下りリンクの同期状態の判定を行うことができる。一方、ＲＲＣ  ｍｅｓｓａｇｅにより閾値ＴＨ１、ＴＨ２、ＴＨ３、及びTH5や時間間隔T4を通知する場合には、ＲＲＣ  、ｍｅｓｓａｇｅが各ユーザ装置に個別に通知されるため、各ユーザ装置に適した判断基準で、下りリンクの同期状態の判定を行うことができる。【００９４】
尚、同期状態判定部１０８７は、報知情報やＲＲＣ  ｍｅｓｓａｇｅにより、前記閾値ＴＨ１、ＴＨ２、ＴＨ３、及びTH5や時間間隔T4が通知された場合のみ、その通知された値を用いて下りリンクの同期状態の判定を行い、通知されなかった場合には、内部に保存されているパラメータを用いて下りリンクの同期状態の判定を行うという動作を行ってもよい。【００９５】
また、同期状態判定部１０８７は、ユーザ装置１００ｎの状態に基づいて、上述した下りリンクの同期状態の判定を行ってもよい。
例えば、同期状態判定部１０８７は、ユーザ装置１００ｎの状態がＲＲＣ  ｃｏｎｎｅｃｔｅｄ状態である場合に、上述した下りリンクの同期状態の判定を行ってもよいし、あるいは、ユーザ装置１００ｎの状態がＩｄｌｅ状態である場合に、上述した下りリンクの同期状態の判定を行ってもよい。あるいは、同期状態判定部１０８７は、ユーザ装置１００ｎの状態がＲＲＣ  ｃｏｎｎｅｃｔｅｄ状態である場合とＩｄｌｅ状態である場合の両方の場合において、上述した下りリンクの同期状態の判定を行ってもよい。
あるいは、同期状態判定部１０８７は、ユーザ装置１００ｎの状態がＲＲＣ  ｃｏｎｎｅｃｔｅｄ状態で、かつ、Ｎｏｎ  ＤＲＸ状態である場合に、上述した下りリンクの同期状態の判定を行ってもよいし、あるいは、ユーザ装置１００ｎの状態がＲＲＣ  ｃｏｎｎｅｃｔｅｄ状態で、かつ、ＤＲＸ状態である場合に、上述した下りリンクの同期状態の判定を行ってもよい。あるいは、同期状態判定部１０８７は、ユーザ装置１００ｎの状態がＲＲＣ  ｃｏｎｎｅｃｔｅｄ状態で、かつ、Ｎｏｎ  ＤＲＸ状態である場合と、ＲＲＣ  ｃｏｎｎｅｃｔｅｄ状態で、かつ、ＤＲＸ状態である場合の両方の場合において、上述した下りリンクの同期状態の判定を行ってもよい。
あるいは、同期状態判定部１０８７は、ユーザ装置１００ｎの状態がＲＲＣ  ｃｏｎｎｅｃｔｅｄ状態で、かつ、上りリンクの個別リソースが解放されている場合に、上述した下りリンクの同期状態の判定を行ってもよいし、あるいは、ユーザ装置１００ｎの状態がＲＲＣ  ｃｏｎｎｅｃｔｅｄ状態で、かつ、上りリンクの個別リソースが解放されていない場合に、上述した下りリンクの同期状態の判定を行ってもよい。あるいは、同期状態判定部１０８７は、ユーザ装置１００ｎの状態がＲＲＣ  ｃｏｎｎｅｃｔｅｄ状態で、かつ、上りリンクの個別リソースが解放されている場合と、ＲＲＣ  ｃｏｎｎｅｃｔｅｄ状態で、かつ、上りリンクの個別リソースが解放されていない場合の両方の場合において、上述した下りリンクの同期状態の判定を行ってもよい。
尚、上述した閾値ＴＨ１、ＴＨ２、ＴＨ３、及びTH5や時間間隔T4は、基地局装置２００の呼処理部２１０の説明で記載したように、ユーザ装置１００ｎの各状態に関して定義されてもよい。ここで、前記ユーザ装置１００ｎの各状態とは、例えば、ＲＲＣ  ｃｏｎｎｅｃｔｅｄ状態やＩｄｌe状態、ＲＲＣ  ｃｏｎｎｅｃｔｅｄ状態で、かつ、ＤＲＸ状態、ＲＲＣ  ｃｏｎｎｅｃｔｅｄ状態で、かつ、Ｎｏｎ  ＤＲＸ状態、ＲＲＣ  ｃｏｎｎｅｃｔｅｄ状態で、かつ、上りリンクの個別リソースが解放されている状態、上りリンクの個別リソースが解放されていない状態であってもよい。【００９６】
尚、同期状態判定部１０８７は、ユーザ装置１００nの下りリンクの同期状態を呼処理部１１０（上位レイヤ）と、信号生成部１０９０に通知する。尚、呼処理部１１０は、同期状態判定部１０８７から下りリンクの同期状態が確立していないという情報を受け取ってから、所定の時間区間、その状態（下りリンクの同期状態が確立していないという状態）が継続した場合に、基地局装置２００とユーザ装置１００ｎとの間のコネクションを再構築する処理を行うと決定し、前記コネクションを再構築する処理を行ってもよい。【００９７】
ＭＡＣ処理部１０８８は、データ信号復号部１０８４より、復号されたＤｏｎｗｌｉｎｋ  Ｓｃｈｅｄｕｌｉｎｇ  ＩｎｆｏｒｍａｔｉｏｎやＵＬ  Ｓｃｈｅｄｕｌｉｎｇ  Ｇｒａｎｔ、上りリンクの共有チャネルに対する送達確認情報、下りリンクの共有チャネルを受信する。【００９８】
ＭＡＣ処理部１０８８は、入力されたＵＬ  Ｓｃｈｅｄｕｌｉｎｇ  Ｇｒａｎｔに基づき、上りリンクのユーザデータの送信フォーマットの決定や、ＭＡＣレイヤーにおける再送制御（ＨＡＲＱ）等の送信処理を行う。すなわち、データ信号復号部１０８４より入力されたＵＬ  Ｓｃｈｅｄｕｌｉｎｇ  Ｇｒａｎｔにより、基地局装置２００から、上りリンクにおいて共有チャネルを用いた通信を行うことを指示された場合には、ユーザ装置１００n内のデータバッファに存在するパケットデータに関して、送信フォーマットの決定や再送制御（ＨＡＲＱ）等の送信処理を行い、そのパケットデータを信号生成部１０９０に与える。【００９９】
ＭＡＣ処理部１０８８は、下りリンクに関しては、例えば、データ信号復号部１０８４より受信したＤＬ  Ｓｃｈｅｄｕｌｉｎｇ  Ｉｎｆｏｒｍａｔｉｏｎに基づき、下りリンクのパケットデータのＭＡＣ再送制御の受信処理等を行う。【０１００】
ＲＬＣ（Ｒａｄｉｏ  Ｌｉｎｋ  Ｃｏｎｔｒｏｌ）処理部１０８９は、上りリンクに関しては、パケットデータの分割・結合、ＲＬＣ（ｒａｄｉｏ  ｌｉｎｋ  ｃｏｎｔｒｏｌ）再送制御の送信処理などのＲＬＣレイヤーの送信処理を行い、下りリンクに関しては、パケットデータの分割・結合、ＲＬＣ再送制御の受信処理等のＲＬＣレイヤーの受信処理を行う。尚、ＲＬＣ処理部１０８９においては、上記ＲＬＣレイヤーの処理に加えて、ＰＤＣＰ  ｌａｙｅｒの処理が行われてもよい。【０１０１】
また、ＲＬＣ処理部１０８９は、基地局装置２００より送信される報知チャネルやＲＲＣ  ｍｅｓｓａｇｅに含まれる情報を、呼処理部１１０に通知する。【０１０２】
信号生成部１０９０は、同期状態判定部１０８７より、ユーザ装置１００nの下りリンクの同期状態を受け取り、ＣＱＩ算出部１０８６より、ＣＱＩ値を受け取る。【０１０３】
信号生成部１０９０は、上りリンクで送信する上りリンクの共有チャネルやＳｏｕｎｄｉｎｇ  ＲＳ、上りリンクの制御チャネル、例えば、下りリンクの品質情報（ＣＱＩ）や下りリンクの共有チャネルの送達確認情報、ランダムアクセスのためのプリアンブル信号（ランダムアクセスチャネル）等の信号生成処理、例えば、符号化やデータ変調等の処理を行う。上記処理が行われた後の信号が、送信処理部１０９１に送信される。【０１０４】
また、信号生成部１０９０は、同期状態判定部１０８７より、ユーザ装置１００nの下りリンクの同期状態に関して、同期が確立していないという状態であるという判定結果を受信した場合に、上りリンクの送信を停止する。結果として、ユーザ装置１００nは、下りリンクの同期状態が確立されていない場合に、上りリンクの信号の送信を行わない。尚、上りリンクの信号とは、例えば、上りリンクの共有チャネルやＳｏｕｎｄｉｎｇ  ＲＳ、上りリンクの制御チャネル、例えば、下りリンクの品質情報（ＣＱＩ）や下りリンクの共有チャネルの送達確認情報等である。【０１０５】
尚、信号生成部１０９０は、下りリンクの同期が確立されていない場合にも、ランダムアクセスチャネルのみは送信処理を行ってもよい。すなわち、信号生成部１０９０は、下りリンクの同期が確立されていない場合に、ランダムアクセスチャネル以外の信号の送信処理を停止する。【０１０６】
あるいは、信号生成部１０９０は、下りリンクの同期が確立されていない場合に、ランダムアクセスチャネルも含めたすべての上りリンクの信号の送信処理を停止してもよい。【０１０７】
送信処理部１０９１は、ＤＦＴ処理やＩＦＦＴ処理、ＣＰ挿入処理等の送信処理を行う。【０１０８】
呼処理部１１０は、通信チャネルの設定やハンドオーバ、解放等の呼処理や、移動局１００ｎの状態管理を行う。例えば、呼処理部１１２は、基地局装置２００から送信される報知情報やＲＲＣ  ｍｅｓｓａｇｅを受信し、必要に応じて、報知情報やＲＲＣ  ｍｅｓｓａｇｅに含まれる情報を移動局１００ｎの各部に通知する。具体的には、呼処理部１１０は、報知チャネル又はＲＲＣ  ｍｅｓｓａｇｅにマッピングされた閾値ＴＨ１、ＴＨ２、ＴＨ３、及びTH5や時間間隔T4を受け取る。そして、閾値ＴＨ１、ＴＨ２、ＴＨ３、及びTH5や時間間隔T4を、同期状態判定部１０８７に通知する。【０１０９】
アプリケーション部１１２は、物理レイヤーやＭＡＣレイヤー、ＲＬＣレイヤー、ＰＤＣＰレイヤーより上位のレイヤーに関する処理等を行う。【０１１０】
次に、本実施例に係るユーザ装置１００ｎにおける送信制御方法としての下りリンク同期外れ検出方法について、図９を参照して説明する。【０１１１】
基地局装置２００は、下りリンクの信号を送信する。例えば、基地局装置２００は、下りリンクの共有チャネル（ＤＬ−ＳＣＨ）やＤＬ  Ｓｃｈｅｄｕｌｉｎｇ  Ｉｎｆｏｒｍａｔｉｏｎ、ＵＬ  Ｓｃｈｅｄｕｌｉｎｇ  Ｇｒａｎｔ、ＵＬ−ＳＣＨに関する送達確認情報、報知チャネル（ＢＣＨ：  ｂｒｏａｄｃａｓｔ  ｃｈａｎｎｅｌ）、ページングチャネル（ＰＣＨ：  ｐａｇｉｎｇ  ｃｈａｎｎｅｌ）、下りリンクのリファレンス信号等を送信する。【０１１２】
同期状態判定部１０８７は、下りリンクのリファレンス信号を用いて生成された下りリンクの品質情報に基づいて、下りリンクの同期状態に関する判定処理を行う（ステップＳ９０２）。例えば、ＣＱＩ算出部１０８６は、下りリンクのリファレンス信号のＳＩＲを算出し、該ＳＩＲと表１を参照して説明した参照テーブルとを用いてＣＱＩを算出する。同期状態判定部１０８７は、ＣＱＩ値に基づき、下りリンクの同期状態を判定する。例えば、同期状態判定部１０８７は、ＣＱＩ値が所定の閾値未満の場合に同期は確立されていないと判定し、ＣＱＩ値が閾値以上の場合に同期は確立されていると判定する。【０１１３】
ＣＱＩの値が所定の閾値未満でない、すなわち所定の閾値以上である場合（ステップＳ９０２：ＮＯ）、同期状態判定部１０８７は、基地局装置２００とユーザ装置と下りリンクにおいて、同期が確立されていると判定する（ステップＳ９０４）。【０１１４】
一方、ＣＱＩの値が所定の閾値未満である場合（ステップＳ９０２：ＹＥＳ）、同期状態判定部１０８７は、基地局装置２００とユーザ装置と下りリンクにおいて、同期が確立されていない判定する（ステップＳ９０６）。【０１１５】
次に、本実施例に係るユーザ装置１００ｎにおける他の送信制御方法としての下りリンク同期外れ検出方法について、図１０を参照して説明する。【０１１６】
本実施例に係る他の送信制御方法としての下りリンク同期外れ検出方法におけるステップＳ１００２−ステップＳ１００６は、図９を参照して説明した下りリンク同期外れ検出方法のステップＳ９０２−ステップＳ９０６と同様である。【０１１７】
ステップＳ１００６において、ＣＱＩの値が所定の閾値未満である場合（ステップＳ１００２：ＹＥＳ）、同期状態判定部１０８７は、基地局装置２００とユーザ装置と下りリンクにおいて、同期が確立されていないと判定する（ステップＳ１００６）。その後、信号生成部１０９０は、上りリンクの信号の送信を停止する（ステップＳ１００８）。尚、上りリンクの信号とは、例えば、上りリンクの共有チャネルやＳｏｕｎｄｉｎｇ  ＲＳ、上りリンクの制御チャネル、例えば、下りリンクの品質情報（ＣＱＩ）や下りリンクの共有チャネルの送達確認情報等である。ここで、上述したように、信号生成部１０９０は、上りリンクの信号の送信を停止すると決定した場合にも、ランダムアクセスチャネルのみは送信を行うという動作を行ってもよい。【０１１８】
また、ステップＳ１００８において、上記処理に加えて、同期状態判定部１０８７は、ユーザ装置１００nの下りリンクの同期状態を呼処理部１１０（上位レイヤ）に通知してもよい。この場合、例えば、呼処理部１１０は、同期状態判定部１０８７から下りリンクの同期状態が確立していないという情報を受け取ってから、所定の時間区間、その状態（下りリンクの同期状態が確立していないという状態）が継続した場合に、基地局装置２００とユーザ装置１００ｎとの間のコネクションを再構築する処理を行うと決定し、前記コネクションを再構築する処理を行ってもよい。【０１１９】
次に、本実施例に係るユーザ装置１００ｎにおける他の送信制御方法としての下りリンク同期外れ検出方法について、図１１を参照して説明する。【０１２０】
本実施例に係る他の送信制御方法としての下りリンク同期外れ検出方法におけるステップＳ１１０４−ステップＳ１１１０は、図１０を参照して説明した下りリンク同期外れ検出方法のステップＳ１００２−ステップＳ１００８と同様である。【０１２１】
基地局装置２００より送信される報知チャネル又はＲＲＣ  ｍｅｓｓａｇｅを受信し、同期判定のための閾値や時間間隔を取得する（ステップＳ１１０２）。例えば、上述したように、基地局装置２００は、ユーザ装置１００ｎがＣＱＩ値に基づいて下りリンクの同期状態を判定する際に用いる閾値ＴＨ１、ＴＨ２、ＴＨ３、及びTH5や時間間隔T4を、報知チャネル又はＲＲＣ  ｍｅｓｓａｇｅを用いて、ユーザ装置に通知する。報知チャネルやＲＲＣ  ｍｅｓｓａｇｅは、ユーザ装置１００ｎに送信される。【０１２２】
本発明の実施例によれば、ユーザ装置は、下りリンクの同期状態を把握することが可能となり、下りリンクの同期が確立されていない場合には、上りリンクの送信を停止することが可能となる。この場合、他セルや他ユーザへの干渉量を低減することが可能となり、結果として、上りリンクの伝送特性及び容量を改善できるユーザ装置及び通信制御方法を実現できる。【０１２３】
次に、本発明の他の実施例に係るユーザ装置及び基地局装置が適用される無線通信システムについて説明する。【０１２４】
本実施例に係る無線通信システムの構成は図１を参照して説明した構成と同様である。本実施例に係る基地局装置の構成は図３及び図４を参照して説明した構成と同様である。尚、この場合、上述した、下りリンクの同期状態を判定する際に用いる閾値ＴＨ１、ＴＨ２、ＴＨ３、及びTH5や時間間隔T4は、後述するＲＳＲＰの値に基づいて下りリンクの同期状態を判定する際に用いる閾値または時間間隔として定義される。以下では、上記値を、閾値ＴＨ１´、ＴＨ２´、ＴＨ３´、及びTH5´や時間間隔T4´と記載する。基地局装置２００は、報知チャネル又はＲＲＣ  ｍｅｓｓａｇｅを用いて、前記閾値ＴＨ１´、ＴＨ２´、ＴＨ３´、及びTH5´や時間間隔T4´を、ユーザ装置１００ｎに通知する。【０１２５】
本実施例に係るユーザ装置１００ｎは、図１２に示すように、図６を参照して説明したユーザ装置と、ＣＱＩ算出部１０８６の代わりにＲＳＲＰ算出部１０９２を備える点で異なる。ＲＳＲＰ(Reference  Symbol  Received  Power)とは、下りリンクのリファレンス信号の受信電力である。ＲＳＲＰ算出部１０９２は、下りリンクリファンレス信号受信部１０８５により入力された、下りリンクのリファレンス信号とチャネル推定値を用いて、下りリンクのリファレンス信号の受信電力（RSRP:  Reference  Symbol  Received  Power）を算出する。（下りリンクのリファレンス信号の受信電力の定義については、非特許文献６参照）。尚、ＲＳＲＰに関しても、ＣＱＩと同様に、周波数方向の測定区間は、システム帯域全体であってもよいし、システム帯域の中心に位置する６リソースブロックであってもよいし、いくつかのリソースブロックがグループ化されたリソースブロックグループであってもよい。【０１２６】
そして、ＲＳＲＰ算出部１０９２は、算出したＲＳＲＰ値を同期状態判定部１０８７と、信号生成部１０９０に入力する。【０１２７】
同期状態判定部１０８７は、ＲＳＲＰ算出部１０９２よりＲＳＲＰ値を受け取る。そして、該ＲＳＲＰ値に基づき、下りリンクの同期状態を判定する。例えば、同期状態判定部１０８７は、ＲＳＲＰ値が０である場合に下りリンクの同期は確立されていないと判定し、ＲＳＲＰ値が０でない場合に下りリンクの同期は確立されていると判定してもよい。【０１２８】
尚、ＲＳＲＰ値が０であるという状態は、圏外（Ｏｕｔ−ｏｆ−ｒａｎｇｅ）という状態とみなすことが可能である。【０１２９】
あるいは、同期状態判定部１０８７は、ＲＳＲＰ値が０以外の場合でも、同期が確立されていないとみなせる場合には、同期が確立されていないと判定するようにしてもよい。このようにすることにより、ＲＳＲＰ値が０以外の場合でも、同期状態を判定できる。例えば、ＲＳＲＰ値が所定の閾値ＴＨ１´未満の場合に同期は確立されていないと判定し、ＲＳＲＰ値がＴＨ１´以上の場合に同期は確立されていると判定してもよい。例えば、上記ＴＨ１´の値として、−１３０ｄＢｍという値が設定されてもよい。尚、上記−１３０ｄＢｍという値は一例であり、上記以外の値が設定されてもよい。【０１３０】
あるいは、同期状態判定部１０８７は、ＲＳＲＰ値を用いて同期状態を判定する場合に、ヒステリシスを用いて判定してもよい。例えば、同期が確立されていると判定している状態においてＲＳＲＰ値が所定の閾値ＴＨ２´未満の場合に同期は確立されていないと判定し、同期が確立されていないと判定している状態においてＲＳＲＰ値が所定の閾値ＴＨ３´以上の場合に同期は確立されていると判定してもよい。尚、上記ＴＨ２´とＴＨ３´の差がヒステリシスに相当する。例えば、上記ＴＨ２´の値として−１３３ｄＢｍが設定され、上記ＴＨ３´の値として−１３０ｄＢｍが設定されてもよい。尚、上述した−１３３ｄＢｍや−１３０ｄＢｍという値は一例であり、上記以外の値が設定されてもよい。【０１３１】
ここで、同期状態判定部１０８７は、下りリンクの同期が確立されていると判定している状態において、ＲＳＲＰ値が所定の閾値TH1´（あるいはTH2´）未満である状態が所定の時間間隔（以下、Ｔ４´と記載する）以上連続した場合に、移動局１００nと基地局装置２００との間の下りリンクの同期は確立されていないと判定してもよい。あるいは、下りリンクの同期が確立されていると判定している状態において、所定の時間間隔T4´における、RSRP値が所定の閾値TH1´(あるいはTH2´)未満である時間の割合が所定の閾値TH5´以上である場合に、移動局１００nと基地局装置２００との間の下りリンクの同期は確立されていないと判定してもよい。尚、上記Ｔ４´の値として、例えば２００ｍｓという値が設定されてもよい。あるいは、上記ＴＨ５´の値として、例えば５０％という値が設定されてもよい。尚、上述した２００ｍｓや５０％という値は一例であり、上記以外の値が設定されてもよい。【０１３２】
一方、同期状態判定部１０８７は、下りリンクの同期が確立されていないと判定している状態において、1回でもRSRP値が所定の閾値TH1´（あるいはTH3´）以上である事象が発生した場合に、移動局１００nと基地局装置２００との間の下りリンクの同期は確立されていると判定してもよい。あるいは、同期状態判定部１０８７は、下りリンクの同期が確立されていないと判定している状態において、RSRP値が所定の閾値TH1´（あるいはTH3´）以上である状態が所定の時間間隔（以下、Ｔ４´と記載する）以上連続した場合に、移動局１００nと基地局装置２００との間の下りリンクの同期は確立されていると判定してもよい。あるいは、下りリンクの同期が確立されていないと判定している状態において、所定の時間間隔T4´における、RSRP値が所定の閾値TH1´（あるいはTH3´）以上である時間の割合が所定の閾値TH5´以上である場合に、移動局１００nと基地局装置２００との間の下りリンクの同期は確立されていると判定してもよい。尚、閾値TH5´に関しても、TH2´, TH3´のようにヒステリシスを考慮してもよい。尚、上記Ｔ４´の値として、例えば２００ｍｓという値が設定されてもよい。あるいは、上記ＴＨ５´の値として、例えば５０％という値が設定されてもよい。尚、上述した２００ｍｓや５０％という値は一例であり、上記以外の値が設定されてもよい。【０１３３】
尚、同期状態判定部１０８７は、上記ＴＨ１´、ＴＨ２´、ＴＨ３´、ＴＨ５´といった閾値や時間間隔T4´は、下りリンクの報知チャネルやＲＲＣ  ｍｅｓｓａｇｅにより、基地局装置２００より通知されてもよい。例えば、報知チャネルにより、上記ＴＨ１´、ＴＨ２´、ＴＨ３´、ＴＨ５´といった閾値や時間間隔T4´が通知される場合には、ベースバンド信号処理部１０８が、上記閾値ＴＨ１´、ＴＨ２´、ＴＨ３´、ＴＨ５´やT4´の受信処理を行い、呼処理部１１０に通知する。そして、呼処理部１１０は上記閾値ＴＨ１´、ＴＨ２´、ＴＨ３´、ＴＨ５´やT4´を、同期状態判定部１０８７に通知する。【０１３４】
あるいは、ＲＲＣ  メッセージにより、上記ＴＨ１´、ＴＨ２´、ＴＨ３´、ＴＨ５´といった閾値や時間間隔T4´が通知される場合には、ベースバンド信号処理部１０８が、閾値ＴＨ１´、ＴＨ２´、ＴＨ３´、ＴＨ５´やT4´の受信処理を行い、呼処理部１１０に通知する。そして、呼処理部１１０は閾値ＴＨ１´、ＴＨ２´、ＴＨ３´、ＴＨ５´やT4´を、同期状態判定部１０８７に通知する。【０１３５】
報知チャネルにより閾値ＴＨ１´、ＴＨ２´、ＴＨ３´、ＴＨ５´やT4´を通知する場合には、セル５０内で共通の判断基準で下りリンクの同期状態の判定を行うことができる。一方、ＲＲＣ  ｍｅｓｓａｇｅにより閾値ＴＨ１´、ＴＨ２´、ＴＨ３´、ＴＨ５´やT4´を通知する場合には、ＲＲＣ  、ｍｅｓｓａｇｅが各ユーザ装置に個別に通知されるため、各ユーザ装置に適した判断基準で、下りリンクの同期状態の判定を行うことができる。【０１３６】
尚、同期状態判定部１０８７は、ユーザ装置１００nの下りリンクの同期状態を呼処理部１１０（上位レイヤ）と、信号生成部１０９０に通知する。例えば、呼処理部１１０は、同期状態判定部１０８７から下りリンクの同期状態が確立していないという情報を受け取ってから、所定の時間区間、その状態（下りリンクの同期状態が確立していないという状態）が継続した場合に、基地局装置２００とユーザ装置１００ｎとの間のコネクションを再構築する処理を行うと決定し、前記コネクションを再構築する処理を行ってもよい。【０１３７】
また、この場合にも、信号生成部１０９０は、CQI値に基づいて下りリンクの同期の判定を行った場合と同様に、同期状態判定部１０８７より、ユーザ装置１００nの下りリンクの同期状態に関して、同期が確立していないという状態であるという判定結果を受信した場合に、上りリンクの送信を停止する。【０１３８】
次に、本実施例に係るユーザ装置１００ｎにおける送信制御方法としての下りリンク同期外れ検出方法について、図１３Ａを参照して説明する。【０１３９】
基地局装置２００は、下りリンクの信号を送信する。例えば、基地局装置２００は、下りリンクの共有チャネル（ＤＬ−ＳＣＨ）やＤＬ  Ｓｃｈｅｄｕｌｉｎｇ  Ｉｎｆｏｒｍａｔｉｏｎ、ＵＬ  Ｓｃｈｅｄｕｌｉｎｇ  Ｇｒａｎｔ、ＵＬ−ＳＣＨに関する送達確認情報、報知チャネル（ＢＣＨ：  ｂｒｏａｄｃａｓｔ  ｃｈａｎｎｅｌ）、ページングチャネル（ＰＣＨ：  ｐａｇｉｎｇ  ｃｈａｎｎｅｌ）、下りリファレンス信号等を送信する。【０１４０】
同期状態判定部１０８７は、下りリンクのリファレンス信号を用いて生成された下りリンクの品質情報に基づいて、下りリンクの同期状態に関する判定処理を行う（ステップＳ１３０２）。例えば、ＲＳＲＰ算出部１０９２は、下りリンクのリファレンス信号のＲＳＲＰを算出する。同期状態判定部１０８７は、ＲＳＲＰ値に基づき、下りリンクの同期状態を判定する。例えば、同期状態判定部１０８７は、ＲＳＲＰ値が所定の閾値未満の場合に同期は確立されていないと判定し、ＲＳＲＰ値が閾値以上の場合に同期は確立されていると判定する。【０１４１】
ＲＳＲＰの値が所定の閾値未満でない、すなわち所定の閾値以上である場合（ステップＳ１３０２：ＮＯ）、同期状態判定部１０８７は、基地局装置２００とユーザ装置と下りリンクにおいて、同期が確立されていると判定する（ステップＳ１３０４）。【０１４２】
一方、ＲＳＲＰの値が所定の閾値未満である場合（ステップＳ１３０２：ＹＥＳ）、同期状態判定部１０８７は、基地局装置２００とユーザ装置と下りリンクにおいて、同期が確立されていない判定する（ステップＳ１３０６）。【０１４３】
次に、本実施例に係るユーザ装置１００ｎにおける他の送信制御方法としての下りリンク同期外れ検出方法について、図１３Ｂを参照して説明する。【０１４４】
ユーザ装置１００ｎにおける同期状態判定部１０８７は、基地局装置２００より送信される報知チャネル又はＲＲＣ  ｍｅｓｓａｇｅを受信し、同期判定のための閾値や時間間隔を取得する（ステップＳ１３１２）。例えば、上述したように、基地局装置２００は、ユーザ装置１００ｎがＲＳＲＰの値に基づいて下りリンクの同期状態を判定する際に用いる閾値ＴＨ１´、ＴＨ２´、ＴＨ３´、及びTH5´や時間間隔T4´を、報知チャネル又はＲＲＣ  ｍｅｓｓａｇｅを用いて、ユーザ装置に通知する。報知チャネルやＲＲＣ  ｍｅｓｓａｇｅは、ユーザ装置１００ｎに送信される。【０１４５】
次に、同期状態判定部１０８７は、下りリンクのリファレンス信号を用いて生成されたＲＳＲＰの値に基づいて、下りリンクの同期状態に関する判定処理を行う（ステップＳ１３１４）。すなわち、ＲＳＲＰ算出部１０９２は、下りリンクのリファレンス信号のＲＳＲＰを算出し、同期状態判定部１０８７は、上記ＲＳＲＰの値に基づき、下りリンクの同期状態を判定する。例えば、同期状態判定部１０８７は、ＲＳＲＰ値が閾値未満の場合に同期は確立されていないと判定し、ＲＳＲＰ値が閾値以上の場合に同期は確立されていると判定する。ここで、前記閾値とは、下りリンクの同期状態を判定する際に用いる閾値ＴＨ１´、ＴＨ２´、ＴＨ３´、及びTH5´や時間間隔T4´のことである。【０１４６】
ＲＳＲＰの値が閾値未満でない、すなわち所定の閾値以上である場合（ステップＳ１３１４：ＮＯ）、同期状態判定部１０８７は、基地局装置２００とユーザ装置と下りリンクにおいて、同期が確立されていると判定する（ステップＳ１３１６）。【０１４７】
一方、ＲＳＲＰの値が閾値未満である場合（ステップＳ１３１４：ＹＥＳ）、同期状態判定部１０８７は、基地局装置２００とユーザ装置と下りリンクにおいて、同期が確立されていない判定する（ステップＳ１３１８）。【０１４８】
その後、信号生成部１０９０は、上りリンクの信号の送信を停止する（ステップＳ１３２０）。尚、上りリンクの信号とは、例えば、上りリンクの共有チャネルやＳｏｕｎｄｉｎｇ  ＲＳ、上りリンクの制御チャネル、例えば、下りリンクの品質情報（ＣＱＩ）や下りリンクの共有チャネルの送達確認情報等である。ここで、上述したように、信号生成部１０９０は、上りリンクの信号の送信を停止すると決定した場合にも、ランダムアクセスチャネルのみは送信を行うという動作を行ってもよい。また、ステップＳ１３２０において、上記処理に加えて、同期状態判定部１０８７は、ユーザ装置１００nの下りリンクの同期状態を呼処理部１１０（上位レイヤ）に通知する。この場合、例えば、呼処理部１１０は、同期状態判定部１０８７から下りリンクの同期状態が確立していないという情報を受け取ってから、所定の時間区間、その状態（下りリンクの同期状態が確立していないという状態）が継続した場合に、基地局装置２００とユーザ装置１００ｎとの間のコネクションを再構築する処理を行うと決定し、前記コネクションを再構築する処理を行ってもよい。【０１４９】
本実施例においては、ＲＳＲＰ算出部１０９２において、ＲＳＲＰを算出し、該ＲＳＲＰを用いて同期状態を判定する場合について説明したが、ＲＳＲＰ／ＲＳＳＩ(receive  signal  strength  indicator)を求め、該ＲＳＲＰ／ＲＳＳＩを用いて同期状態を判定するようにしてもよい。ＲＳＳＩとは、ユーザ装置１００ｎにおいて、該基地局装置２００から送信される信号や、それ以外の基地局装置からの信号、熱雑音による寄与等を含む、全ての受信信号の電波の強度を数値化したものである。この場合、ＲＳＲＰ算出部１０９２において、下りリンクリファンレス信号受信部１０８５により入力された、下りリンクのリファレンス信号と、DeMUXに入力された全受信信号と、チャネル推定値を用いて、下りリンクのＲＳＲＰ及びＲＳＳＩが算出され、ＲＳＲＰ／ＲＳＳＩが求められる。尚、上記ＲＳＲＰ／ＲＳＳＩは、ＲＳＲＱ（Ｒｅｆｅｒｅｎｃｅ  Ｓｉｇｎａｌ  Ｒｅｃｅｉｖｅｄ  Ｑｕａｌｉｔｙ）と呼ばれてもよい。
次に、本発明の他の実施例に係るユーザ装置及び基地局装置が適用される無線通信システムについて説明する。【０１５０】
本実施例に係る無線通信システムの構成は図１を参照して説明した構成と同様である。本実施例に係る基地局装置の構成は図３及び図４を参照して説明した構成と同様である。尚、この場合、上述した、下りリンクの同期状態を判定する際に用いる閾値ＴＨ１、ＴＨ２、ＴＨ３、及びTH5や時間間隔T4は、後述するＲＳＲＰの値に基づいて下りリンクの同期状態を判定する際に用いる閾値または時間間隔として定義される。以下では、上記値を、閾値ＴＨ１´´、ＴＨ２´´、ＴＨ３´´、及びTH5´´や時間間隔T4´´と記載する。基地局装置２００は、報知チャネル又はＲＲＣ  ｍｅｓｓａｇｅを用いて、前記閾値ＴＨ１´´、ＴＨ２´´、ＴＨ３´´、及びTH5´´や時間間隔T4´´を、ユーザ装置１００ｎに通知する。【０１５１】
本実施例に係るユーザ装置１００ｎは、図１４に示すように、図６を参照して説明したユーザ装置と、ＣＱＩ算出部１０８６の代わりにＳＩＲ算出部１０９４を備える点で異なる。ＳＩＲ算出部１０９４は、下りリンクのリファレンス信号のＳＩＲを算出する。尚、ＳＩＲに関しても、ＣＱＩと同様に、周波数方向の測定区間は、システム帯域全体であってもよいし、システム帯域の中心に位置する６リソースブロックであってもよいし、いくつかのリソースブロックがグループ化されたリソースブロックグループであってもよい。【０１５２】
そして、ＳＩＲ算出部１０９４は、算出したＳＩＲ値を同期状態判定部１０８７と、信号生成部１０９０に入力する。【０１５３】
同期状態判定部１０８７は、ＳＩＲ算出部１０９４よりＳＩＲ値を受け取る。そして、該ＳＩＲ値に基づき、下りリンクの同期状態を判定する。例えば、同期状態判定部１０８７は、ＳＩＲ値が０である場合に下りリンクの同期は確立されていないと判定し、ＳＩＲ値が０でない場合に下りリンクの同期は確立されていると判定してもよい。【０１５４】
尚、ＳＩＲ値が０であるという状態は、圏外（Ｏｕｔ−ｏｆ−ｒａｎｇｅ）という状態とみなすことが可能である。【０１５５】
あるいは、同期状態判定部１０８７は、ＳＩＲ値が０以外の場合でも、同期が確立されていないとみなせる場合には、同期が確立されていないと判定するようにしてもよい。このようにすることにより、ＳＩＲ値が０以外の場合でも、同期状態を判定できる。例えば、ＳＩＲ値が所定の閾値ＴＨ１´´未満の場合に同期は確立されていないと判定し、ＳＩＲ値がＴＨ１´´以上の場合に同期は確立されていると判定してもよい。例えば、上記ＴＨ１´´の値として、−６ｄＢという値が設定されてもよい。尚、上記−６ｄＢという値は一例であり、上記以外の値が設定されてもよい。【０１５６】
あるいは、同期状態判定部１０８７は、ＳＩＲ値を用いて同期状態を判定する場合に、ヒステリシスを用いて判定してもよい。例えば、同期が確立されていると判定している状態においてＳＩＲ値が所定の閾値ＴＨ２´´未満の場合に同期は確立されていないと判定し、同期が確立されていないと判定している状態においてＳＩＲ値が所定の閾値ＴＨ３´´以上の場合に同期は確立されていると判定してもよい。尚、ＴＨ２´´とＴＨ３´´の差がヒステリシスに相当する。例えば、上記ＴＨ２´´の値として−７ｄＢが設定され、上記ＴＨ３´´の値として−４ｄＢが設定されてもよい。尚、上述した−７ｄＢや−４ｄＢという値は一例であり、上記以外の値が設定されてもよい。【０１５７】
ここで、同期状態判定部１０８７は、下りリンクの同期が確立されていると判定している状態において、SIR値が所定の閾値TH1´´（あるいはTH2´´）未満である状態が所定の時間間隔（以下、Ｔ４´´と記載する）以上連続した場合に、移動局１００nと基地局装置２００との間の下りリンクの同期は確立されていないと判定してもよい。あるいは、下りリンクの同期が確立されていると判定している状態において、所定の時間間隔T4´´における、SIR値が所定の閾値TH1´´(あるいはTH2´´)未満である時間の割合が所定の閾値TH5´´以上である場合に、移動局１００nと基地局装置２００との間の下りリンクの同期は確立されていないと判定してもよい。尚、上記Ｔ４´´の値として、例えば２００ｍｓという値が設定されてもよい。あるいは、上記ＴＨ５´´の値として、例えば５０％という値が設定されてもよい。尚、上述した２００ｍｓや５０％という値は一例であり、上記以外の値が設定されてもよい。
一方、同期状態判定部１０８７は、下りリンクの同期が確立されていないと判定している状態において、1回でもSIR値が所定の閾値TH1´´（あるいはTH3´´）以上である事象が発生した場合に、移動局１００nと基地局装置２００との間の下りリンクの同期は確立されていると判定してもよい。あるいは、同期状態判定部１０８７は、下りリンクの同期が確立されていないと判定している状態において、SIR値が所定の閾値TH1´´（あるいはTH3´´）以上である状態が所定の時間間隔（以下、Ｔ４´´と記載する）以上連続した場合に、移動局１００nと基地局装置２００との間の下りリンクの同期は確立されていると判定してもよい。あるいは、下りリンクの同期が確立されていないと判定している状態において、所定の時間間隔T4´´における、SIR値が所定の閾値TH1´´（あるいはTH3´´）以上である時間の割合が所定の閾値TH5´´以上である場合に、移動局１００nと基地局装置２００との間の下りリンクの同期は確立されていると判定してもよい。尚、閾値TH5´´に関しても、後述するTH2´´, TH3´´のようにヒステリシスを考慮してもよい。尚、上記Ｔ４´´の値として、例えば２００ｍｓという値が設定されてもよい。あるいは、上記ＴＨ５´´の値として、例えば５０％という値が設定されてもよい。尚、上述した２００ｍｓや５０％という値は一例であり、上記以外の値が設定されてもよい。【０１５８】
尚、同期状態判定部１０８７は、ＴＨ１´´、ＴＨ２´´、ＴＨ３´´及びＴＨ５´´といった閾値や時間間隔T4´´は、下りリンクの報知チャネルやＲＲＣ  ｍｅｓｓａｇｅにより、基地局装置２００より通知されてもよい。例えば、報知チャネルにより、ＴＨ１´´、ＴＨ２´´、ＴＨ３´´及びＴＨ５´´といった閾値や時間間隔T4´´が通知される場合には、ベースバンド信号処理部１０８が、閾値ＴＨ１´´、ＴＨ２´´、ＴＨ３´´及びＴＨ５´´や時間間隔T4´´の受信処理を行い、呼処理部１１０に通知する。そして、呼処理部１１０は閾値ＴＨ１´´、ＴＨ２´´、ＴＨ３´´及びＴＨ５´´や時間間隔T4´´を、同期状態判定部１０８７に通知する。【０１５９】
あるいは、ＲＲＣ  メッセージにより、ＴＨ１´´、ＴＨ２´´、ＴＨ３´´及びＴＨ５´´といった閾値や時間間隔T4´´が通知される場合には、ベースバンド信号処理部１０８が、閾値ＴＨ１´´、ＴＨ２´´、ＴＨ３´´及びＴＨ５´´や時間間隔T4´´の受信処理を行い、呼処理部１１０に通知する。そして、呼処理部１１０は閾値ＴＨ１´´、ＴＨ２´´、ＴＨ３´´及びＴＨ５´´や時間間隔T4´´を、同期状態判定部１０８７に通知する。【０１６０】
報知チャネルにより閾値ＴＨ１´´、ＴＨ２´´、ＴＨ３´´及びＴＨ５´´や時間間隔T4´´を通知する場合には、セル５０内で共通の判断基準で下りリンクの同期状態の判定を行うことができる。一方、ＲＲＣ  ｍｅｓｓａｇｅにより閾値ＴＨ１´´、ＴＨ２´´、ＴＨ３´´及びＴＨ５´´や時間間隔T4´´を通知する場合には、ＲＲＣ  、ｍｅｓｓａｇｅが各ユーザ装置に個別に通知されるため、各ユーザ装置に適した判断基準で、下りリンクの同期状態の判定を行うことができる。【０１６１】
尚、同期状態判定部１０８７は、ユーザ装置１００nの下りリンクの同期状態を呼処理部１１０（上位レイヤ）と、信号生成部１０９０に通知する。例えば、呼処理部１１０は、同期状態判定部１０８７から下りリンクの同期状態が確立していないという情報を受け取ってから、所定の時間区間、その状態（下りリンクの同期状態が確立していないという状態）が継続した場合に、基地局装置２００とユーザ装置１００ｎとの間のコネクションを再構築する処理を行うと決定し、前記コネクションを再構築する処理を行ってもよい。【０１６２】
また、この場合にも、信号生成部１０９０は、CQI値に基づいて下りリンクの同期の判定を行った場合と同様に、同期状態判定部１０８７より、ユーザ装置１００nの下りリンクの同期状態に関して、同期が確立していないという状態であるという判定結果を受信した場合に、上りリンクの送信を停止する。
次に、本実施例に係るユーザ装置１００ｎにおける送信制御方法としての下りリンク同期外れ検出方法について、図１５Ａを参照して説明する。【０１６３】
基地局装置２００は、下りリンクの信号を送信する。例えば、基地局装置２００は、下りリンクの共有チャネル（ＤＬ−ＳＣＨ）やＤＬ  Ｓｃｈｅｄｕｌｉｎｇ  Ｉｎｆｏｒｍａｔｉｏｎ、ＵＬ  Ｓｃｈｅｄｕｌｉｎｇ  Ｇｒａｎｔ、ＵＬ−ＳＣＨに関する送達確認情報、報知チャネル（ＢＣＨ：  ｂｒｏａｄｃａｓｔ  ｃｈａｎｎｅｌ）、ページングチャネル（ＰＣＨ：  ｐａｇｉｎｇ  ｃｈａｎｎｅｌ）、下りリファレンス信号等を送信する。【０１６４】
同期状態判定部１０８７は、下りリンクのリファレンス信号を用いて生成された下りリンクの品質情報に基づいて、下りリンクの同期状態に関する判定処理を行う（ステップＳ１５０２）。例えば、ＳＩＲ算出部１０９４は、下りリンクのリファレンス信号のＳＩＲを算出する。同期状態判定部１０８７は、ＳＩＲ値に基づき、下りリンクの同期状態を判定する。例えば、同期状態判定部１０８７は、ＳＩＲ値が所定の閾値未満の場合に同期は確立されていないと判定し、ＳＩＲ値が閾値以上の場合に同期は確立されていると判定する。【０１６５】
ＳＩＲの値が所定の閾値未満でない、すなわち所定の閾値以上である場合（ステップＳ１５０２：ＮＯ）、同期状態判定部１０８７は、基地局装置２００とユーザ装置と下りリンクにおいて、同期が確立されていると判定する（ステップＳ１５０４）。【０１６６】
一方、SIRの値が所定の閾値未満である場合（ステップＳ１５０２：ＹＥＳ）、同期状態判定部１０８７は、基地局装置２００とユーザ装置と下りリンクにおいて、同期が確立されていない判定する（ステップＳ１５０６）。【０１６７】
次に、本実施例に係るユーザ装置１００ｎにおける他の送信制御方法としての下りリンク同期外れ検出方法について、図１５Ｂを参照して説明する。【０１６８】
ユーザ装置１００ｎにおける同期状態判定部１０８７は、基地局装置２００より送信される報知チャネル又はＲＲＣ  ｍｅｓｓａｇｅを受信し、同期判定のための閾値や時間間隔を取得する（ステップＳ１５１２）。例えば、上述したように、基地局装置２００は、ユーザ装置１００ｎがＳＩＲの値に基づいて下りリンクの同期状態を判定する際に用いる閾値ＴＨ１´´、ＴＨ２´´、ＴＨ３´´、及びTH5´´や時間間隔T4´´を、報知チャネル又はＲＲＣ  ｍｅｓｓａｇｅを用いて、ユーザ装置に通知する。報知チャネルやＲＲＣ  ｍｅｓｓａｇｅは、ユーザ装置１００ｎに送信される。【０１６９】
次に、同期状態判定部１０８７は、下りリンクのリファレンス信号を用いて生成されたＳＩＲの値に基づいて、下りリンクの同期状態に関する判定処理を行う（ステップＳ１５１４）。すなわち、ＳＩＲ算出部１０９２は、下りリンクのリファレンス信号のＳＩＲを算出し、同期状態判定部１０８７は、上記ＳＩＲの値に基づき、下りリンクの同期状態を判定する。例えば、同期状態判定部１０８７は、ＳＩＲ値が閾値未満の場合に同期は確立されていないと判定し、ＳＩＲ値が閾値以上の場合に同期は確立されていると判定する。ここで、前記閾値とは、下りリンクの同期状態を判定する際に用いる閾値ＴＨ１´´、ＴＨ２´´、ＴＨ３´´、及びTH5´´や時間間隔T4´´のことである。【０１７０】
ＳＩＲの値が閾値未満でない、すなわち所定の閾値以上である場合（ステップＳ１５１４：ＮＯ）、同期状態判定部１０８７は、基地局装置２００とユーザ装置と下りリンクにおいて、同期が確立されていると判定する（ステップＳ１５１６）。【０１７１】
一方、ＳＩＲの値が閾値未満である場合（ステップＳ１５１４：ＹＥＳ）、同期状態判定部１０８７は、基地局装置２００とユーザ装置と下りリンクにおいて、同期が確立されていない判定する（ステップＳ１５１８）。【０１７２】
その後、信号生成部１０９０は、上りリンクの信号の送信を停止する（ステップＳ１５２０）。尚、上りリンクの信号とは、例えば、上りリンクの共有チャネルやＳｏｕｎｄｉｎｇ  ＲＳ、上りリンクの制御チャネル、例えば、下りリンクの品質情報（ＣＱＩ）や下りリンクの共有チャネルの送達確認情報等である。ここで、上述したように、信号生成部１０９０は、上りリンクの信号の送信を停止すると決定した場合にも、ランダムアクセスチャネルのみは送信を行うという動作を行ってもよい。また、ステップＳ１５２０において、上記処理に加えて、同期状態判定部１０８７は、ユーザ装置１００nの下りリンクの同期状態を呼処理部１１０（上位レイヤ）に通知する。この場合、例えば、呼処理部１１０は、同期状態判定部１０８７から下りリンクの同期状態が確立していないという情報を受け取ってから、所定の時間区間、その状態（下りリンクの同期状態が確立していないという状態）が継続した場合に、基地局装置２００とユーザ装置１００ｎとの間のコネクションを再構築する処理を行うと決定し、前記コネクションを再構築する処理を行ってもよい。【０１７３】
次に、本発明の他の実施例に係るユーザ装置及び基地局装置が適用される無線通信システムについて説明する。【０１７４】
本実施例に係る無線通信システムの構成は図１を参照して説明した構成と同様である。本実施例に係る基地局装置の構成は図３及び図４を参照して説明した構成と同様である。尚、後述するように、基地局装置２００は、報知チャネル又はＲＲＣ  ｍｅｓｓａｇｅを用いて、閾値ＴＨ７や時間間隔Ｔ６をユーザ装置１００ｎに通知してもよい。【０１７５】
本実施例に係るユーザ装置１００ｎは、図１６に示すように、図６を参照して説明したユーザ装置と、データ信号復号部１０８４から同期状態判定部１０８７への接続が追加されている点で異なる。本実施例に係るユーザ装置１００ｎは、CQIだけでなく、報知チャネルの誤り率に基づいて、下りリンクの同期状態を判定する。以下では、上記図６と異なる点に関して説明を行う。【０１７６】
データ信号復号部１０８４は、報知チャネルの信号を復号し、その復号結果を同期状態判定部１０８７に通知する。ここで、上記報知チャネルとは、より具体的には、物理報知チャネル（Ｐ−ＢＣＨ：  Ｐｈｙｓｉｃａｌ  Ｂｒｏａｄｃａｓｔ  Ｃｈａｎｎｅｌ）やダイナミック報知チャネル（Ｄ−ＢＣＨ：  Ｄｙｎａｍｉｃ  Ｂｒｏａｄｃａｓｔ  Ｃｈａｎｎｅｌ)、D-BCHのためのＤＬ  Ｓｃｈｅｄｕｌｉｎｇ  Ｉｎｆｏｒｍａｔｉｏｎのことである。すなわち、データ信号復号部１０８４は、P-BCH、D-BCH、D-BCHのためのＤＬ  Ｓｃｈｅｄｕｌｉｎｇ  Ｉｎｆｏｒｍａｔｉｏｎの復号結果を同期状態判定部１０８７に通知する。【０１７７】
同期状態判定部１０８７は、データ信号復号部１０８４より、P-BCH、D-BCH、D-BCHのためのＤＬ  Ｓｃｈｅｄｕｌｉｎｇ  Ｉｎｆｏｒｍａｔｉｏｎの復号結果を受け取り、上記P-BCH、D-BCH、D-BCHのためのＤＬ  Ｓｃｈｅｄｕｌｉｎｇ  Ｉｎｆｏｒｍａｔｉｏｎの復号結果に基づいて下りリンクの同期状態を判定する。例えば、同期状態判定部１０８７は、下りリンクの同期が確立されていると判定している状態において、所定の時間間隔（以下、T6と記載する）の間の全てのP-BCHの復号結果がNG（正常に復号できないという結果）である場合に、移動局１００nと基地局装置２００との間の下りリンクの同期は確立されていないと判定してもよい。あるいは、下りリンクの同期が確立されていると判定している状態において、所定の時間間隔T６における全てのP-BCHの復号結果の内の、NGの割合が所定の閾値TH７以上である場合に、移動局１００nと基地局装置２００との間の下りリンクの同期は確立されていないと判定してもよい。【０１７８】
一方、同期状態判定部１０８７は、下りリンクの同期が確立されていないと判定している状態において、1回でもP-BCHの復号結果がNGでない（OKである）事象が発生した場合に、移動局１００nと基地局装置２００との間の下りリンクの同期は確立されていると判定してもよい。あるいは、同期状態判定部１０８７は、下りリンクの同期が確立されていないと判定している状態において、所定の時間間隔Ｔ６における全てのP-BCHの復号結果の内の、NGの割合が所定の閾値TH7以下である場合に、移動局１００nと基地局装置２００との間の下りリンクの同期は確立されていると判定してもよい。尚、閾値TH７に関しても、TH2, TH3のようにヒステリシスを考慮してもよい。【０１７９】
尚、上記P-BCHの復号結果の代わりに、D-BCH、D-BCHのためのDownlink Scheduling Informationの復号結果を用いて、同様の判定を行ってもよい。あるいは、P-BCHの復号結果と、D-BCHの復号結果と、D-BCHのためのDownlink Scheduling Informationの復号結果の内の複数を用いて、同様の判定を行ってもよい。【０１８０】
同期状態判定部１０８７は、上記報知チャネルの復号結果による判定と、CQIに基づいた判定の両方に基づいて、下りリンクの同期状態を判定する。例えば、両方の判定結果が「同期状態が確立されている」という場合に、同期状態が確立されていると判定し、それ以外の場合に、同期状態が確立されていないと判定してもよい。あるいは、両方の判定結果が「同期状態が確立されていない」という場合に、同期状態が確立されていないと判定し、それ以外の場合に、同期状態が確立されていると判定してもよい。【０１８１】
また、上述したT6やTH７も、基地局装置２００より、報知チャネルやRRC messageを用いて通知されてもよい。【０１８２】
また、通信の開始時にも、同様の方法で、下りリンクの同期状態を判定することができる。【０１８３】
次に、本実施例に係るユーザ装置１００ｎにおける送信制御方法としての下りリンク同期外れ検出方法について、図１７Ａを参照して説明する。【０１８４】
基地局装置２００は、下りリンクの信号を送信する。例えば、基地局装置２００は、下りリンクの共有チャネル（ＤＬ−ＳＣＨ）やＤＬ  Ｓｃｈｅｄｕｌｉｎｇ  Ｉｎｆｏｒｍａｔｉｏｎ、ＵＬ  Ｓｃｈｅｄｕｌｉｎｇ  Ｇｒａｎｔ、ＵＬ−ＳＣＨに関する送達確認情報、報知チャネル（ＢＣＨ：  ｂｒｏａｄｃａｓｔ  ｃｈａｎｎｅｌ）、ページングチャネル（ＰＣＨ：  ｐａｇｉｎｇ  ｃｈａｎｎｅｌ）等を送信する。【０１８５】
同期状態判定部１０８７は、下りリンクのリファレンス信号を用いて生成された下りリンクの品質情報に基づいて、下りリンクの同期状態に関する判定処理を行う（ステップＳ１７０２）。例えば、ＣＱＩ算出部１０８６は、下りリンクのリファレンス信号のＳＩＲを算出し、該ＳＩＲと表１を参照して説明した参照テーブルとを用いてＣＱＩを算出する。同期状態判定部１０８７は、ＣＱＩ値に基づき、下りリンクの同期状態を判定する。例えば、同期状態判定部１０８７は、ＣＱＩ値が所定の閾値未満の場合に同期は確立されていないと判定し、ＣＱＩ値が閾値以上の場合に同期は確立されていると判定する。【０１８６】
ＣＱＩの値が所定の閾値未満でない、すなわち所定の閾値以上である場合（ステップＳ１７０２：ＮＯ）、同期状態判定部１０８７は、基地局装置２００とユーザ装置と下りリンクにおいて、同期が確立されていると判定する（ステップＳ１７０４）。【０１８７】
一方、ＣＱＩの値が所定の閾値未満である場合（ステップＳ１７０２：ＹＥＳ）、同期状態判定部１０８７は、データ信号復号部１０８４より入力された、P-BCH、D-BCH、D-BCHのためのＤＬ  Ｓｃｈｅｄｕｌｉｎｇ  Ｉｎｆｏｒｍａｔｉｏｎの復号結果に基づいて、下りリンクの同期状態を判定する（ステップＳ１７０６）。例えば、同期状態判定部１０８７は、下りリンクの同期が確立されていると判定している状態において、所定の時間間隔（以下、T6と記載する）の間の全てのP-BCHの復号結果がNG（正常に復号できないという結果）である場合に、移動局１００nと基地局装置２００との間の下りリンクの同期は確立されていないと判定する。【０１８８】
報知チャネルの復号結果が、所定の時間間隔の間ＮＧであると判定された場合（ステップＳ１７０６：ＹＥＳ）、同期状態判定部１０８７は、下りリンクの同期が確立されていないと判定する（ステップＳ１７０８）。その後、信号生成部１０９０は、上りリンクの信号の送信を停止する（ステップＳ１７１０）。尚、上りリンクの信号とは、例えば、上りリンクの共有チャネルやＳｏｕｎｄｉｎｇ  ＲＳ、上りリンクの制御チャネル、例えば、下りリンクの品質情報（ＣＱＩ）や下りリンクの共有チャネルの送達確認情報等である。ここで、上述したように、信号生成部１０９０は、上りリンクの信号の送信を停止すると決定した場合にも、ランダムアクセスチャネルのみは送信を行うという動作を行ってもよい。【０１８９】
また、ステップＳ１７０８において、上記処理に加えて、同期状態判定部１０８７は、ユーザ装置１００nの下りリンクの同期状態を呼処理部１１０（上位レイヤ）に通知してもよい。この場合、例えば、呼処理部１１０は、同期状態判定部１０８７から下りリンクの同期状態が確立していないという情報を受け取ってから、所定の時間区間、その状態（下りリンクの同期状態が確立していないという状態）が継続した場合に、基地局装置２００とユーザ装置１００ｎとの間のコネクションを再構築する処理を行うと決定し、前記コネクションを再構築する処理を行ってもよい。【０１９０】
一方、報知チャネルの復号結果が、所定の時間間隔の間ＮＧであると判定されない場合（ステップＳ１７０６：ＮＯ）、ステップＳ１７０４と同様の処理が行われる。【０１９１】
次に、本実施例に係るユーザ装置１００ｎにおける他の送信制御方法としての下りリンク同期外れ検出方法について、図１７Ｂを参照して説明する。【０１９２】
本実施例に係る他の送信制御方法としての下りリンク同期外れ検出方法におけるステップＳ１７１４−ステップＳ１７２２は、図１７Ａを参照して説明した下りリンク同期外れ検出方法のステップＳ１７０２−ステップＳ１７１０と同様である。【０１９３】
基地局装置２００より送信される報知チャネル又はＲＲＣ  ｍｅｓｓａｇｅを受信し、同期判定のための閾値や時間間隔を取得する（ステップＳ１７１２）。例えば、上述したように、基地局装置２００は、ユーザ装置１００ｎがＣＱＩ値に基づいて下りリンクの同期状態を判定する際に用いる閾値ＴＨ１、ＴＨ２、ＴＨ３、TH5及びＴＨ７や時間間隔T4及びＴ６を、報知チャネル又はＲＲＣ  ｍｅｓｓａｇｅを用いて、ユーザ装置に通知する。報知チャネルやＲＲＣ  ｍｅｓｓａｇｅは、ユーザ装置１００ｎに送信される。【０１９４】
尚、上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例を記載したが、本発明に係る基地局装置及び通信制御方法は、下りリンクにおいて共有チャネルを用いた通信を行っている全てのシステムにおいて適用することが可能である。【０１９５】
また、上述した説明においては、「下りリンクの同期が確立されていない／外れている」という表現を用いたが、これは、「下りリンクの同期が外れている／外れていない」や「Downlink Out-of-Synchronization/Downlink In-Synchronization」という表現と同等である。【０１９６】
説明の便宜上、発明の理解を促すため具体的な数値例を用いて説明されるが、特に断りのない限り、それらの数値は単なる一例に過ぎず適切な如何なる値が使用されてよい。【０１９７】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。【０１９８】
本国際出願は、２００７年８月１４日に出願した日本国特許出願２００７−２１１５８８号に基づく優先権を主張するものであり、２００７−２１１５８８の全内容を本国際出願に援用する。
【図１】
2009022668.tif 000004
【図２】
2009022668.tif 000005
【図３】
2009022668.tif 000006
【図４】
2009022668.tif 000007
【図５】
2009022668.tif 000008
【図６】
2009022668.tif 000009
【図７】
2009022668.tif 000010
【図８】
2009022668.tif 000011
【図９】
2009022668.tif 000012
【図１０】
2009022668.tif 000013
【図１１】
2009022668.tif 000014
【図１２】
2009022668.tif 000015
【図１３Ａ】
2009022668.tif 000016
【図１３Ｂ】
2009022668.tif 000017
【図１４】
2009022668.tif 000018
【図１５Ａ】
2009022668.tif 000019
【図１５Ｂ】
2009022668.tif 000020
【図１６】
2009022668.tif 000021
【図１７Ａ】
2009022668.tif 000022
【図１７Ｂ】
2009022668.tif 000023
【国際調査報告】
2009022668.tif 000024
2009022668.tif 000025
2009022668.tif 000026
2009022668.tif 000027
2009022668.tif 000028
2009022668.tif 000029
2009022668.tif 000030
2009022668.tif 000031